(57)【要約】【課題】回動式可変表示体の成型精度や駆動軸に対する取付け精度等に影響されることなく、回動式可変表示体の回動基準位置を正確に検出することが出来る可変表示装置を備える遊技機を提供すること。【解決手段】駆動モータ５４Ｌの本体部６４０から突出した駆動軸６０４には、回動式可変表示体を駆動軸６０４に固定するための回動板６１０が相対回動不能に固定されているとともに、該回動板６１０の所定箇所には、回動式可変表示体の回動基準位置を検出するための回動基準位置検出手段５６Ｌにより検出される回動基準位置検出部６１７が設けられている。【選択図】　　図７
2004016433.tif 000002
【特許請求の範囲】
【請求項１】
所定の価値を用いて遊技を実施可能であり、該遊技の結果に基づいて所定の遊技価値を付与することが可能であり、駆動モータの駆動により駆動するとともに、複数種の識別情報が配置された可変表示部材を回動させる回動式可変表示体を有する可変表示装置を備える遊技機において、
前記駆動モータの本体部から突出した駆動軸には、前記回動式可変表示体を前記駆動軸に固定するための回動板が相対回動不能に固定されているとともに、該回動板の所定箇所には、前記回動式可変表示体の回動基準位置を検出するための回動基準位置検出手段により検出される回動基準位置検出部が設けられていることを特徴とする遊技機。
【請求項２】
前記回動板は、前記駆動軸に圧入されている請求項１に記載の遊技機。
【請求項３】
前記回動基準位置検出手段は、前記駆動モータに対して着脱自在に取り付けられている請求項１または２に記載の遊技機。
【請求項４】
前記回動基準位置検出手段は、前記回動板が前記駆動軸に相対回動不能に固定されている状態で前記駆動モータに着脱自在である請求項３に記載の遊技機。
【請求項５】
前記回動板には穴部が形成されている請求項１〜４のいずれかに記載の遊技機。
【請求項６】
前記回動基準位置検出手段は、取付板を介して前記駆動モータに取り付けられており、前記取付板における前記駆動モータの本体部との取付部と前記穴部とが対応するように構成されている請求項５に記載の遊技機。
【請求項７】
前記回動板と前記回動式可変表示体との対向面には、前記回動板に対する前記回動式可変表示体の固定位置を決定する回動式可変表示体位置決め手段が設けられている請求項１〜６のいずれかに記載の遊技機。
【請求項８】
前記駆動モータはステッピングモータであり、前記回動基準位置検出部の検出方向の幅寸法は、前記ステッピングモータの基本励磁パターン分のステップ数に相当する請求項１〜７のいずれかに記載の遊技機。
【請求項９】
前記回動基準位置検出部は、前記回動板の周縁部所定箇所に形成されている請求項１〜８のいずれかに記載の遊技機。
【請求項１０】
前記駆動モータの本体部と該駆動モータを取り付けるための支持板との対向面には、前記支持板に対する前記駆動モータの取付け位置を決定する駆動モータ位置決め手段が設けられている請求項１〜９のいずれかに記載の遊技機。
【請求項１１】
前記駆動モータはステッピングモータであり、該ステッピングモータのステップ数は、前記識別情報の配置数の整数倍である請求項１〜１０のいずれかに記載の遊技機。
【請求項１２】
前記回動板は、金属材により構成されている請求項１〜１１のいずれかに記載の遊技機。
【発明の詳細な説明】
【０００１】
【発明の属する技術分野】
本発明は、所定の価値を用いて遊技を実施可能であり、該遊技の結果に基づいて所定の遊技価値を付与することが可能であり、駆動モータの駆動により駆動するとともに、複数種の識別情報が配置された可変表示部材を回動させる回動式可変表示体を有する可変表示装置を備える遊技機に関する。
【０００２】
【従来の技術】
従来、スロットマシンやパチンコ機等の遊技機に備えられる可変表示装置としては、例えば複数種の識別情報が配置された可変表示部材が周面に巻装されたリール（回動式可変表示体）等を有する可変表示装置がある。この種の可変表示装置においては、リールの回動基準位置を検出するための回動基準位置検出手段、及びこの回動基準位置検出手段により検出される回動基準位置検出部が設けられており、この回動基準位置の検出に基づいて周面に配置された識別情報の停止制御がなされるようになっている。
【０００３】
このような可変表示装置としては、例えば特開平７−５１４４６号公報や特開平９−１０３５５１号公報等のように、リールを回動自在に支持する支持板に設けられた回動基準位置検出手段によりリールの所定箇所に形成された回動基準位置検出部を検出するものや、実公平５−４５３３７号公報等のように、リールを回動させるステッピングモータの内部に設けられた回動基準位置検出手段によりステッピングモータの駆動軸に形成された回動基準位置検出部を検出するもの等がある。
【０００４】
【発明が解決しようとする課題】
しかしながら、前者の可変表示装置にあっては、回動基準位置検出部がリール側に形成されているので、例えばリールの成型精度や駆動軸に対する取付け精度等の影響により、回動基準位置検出手段による回動基準位置検出部の検出精度が低下したり、回動基準位置検出手段の取付け位置の微調整が必要となることがあった。
【０００５】
また、後者の可変表示装置にあっては、回動基準位置検出部及び回動基準位置検出手段がステッピングモータの本体内部に設けられているため、駆動軸とリールとの間に位置ずれが発生した場合に識別情報の停止位置のずれが生じることがあったばかりか、例えば回動基準位置検出手段が故障した場合等において、回動基準位置検出手段の交換作業が煩雑であるといった問題があった。
【０００６】
本発明は、このような問題点に着目してなされたもので、回動式可変表示体の成型精度や駆動軸に対する取付け精度等に影響されることなく、回動式可変表示体の回動基準位置を正確に検出することが出来る可変表示装置を備える遊技機を提供することを目的とする。
【０００７】
【課題を解決するための手段】
上記課題を解決するために、本発明の遊技機は、所定の価値を用いて遊技を実施可能であり、該遊技の結果に基づいて所定の遊技価値を付与することが可能であり、駆動モータの駆動により駆動するとともに、複数種の識別情報が配置された可変表示部材を回動させる回動式可変表示体を有する可変表示装置を備える遊技機において、
前記駆動モータの本体部から突出した駆動軸には、前記回動式可変表示体を前記駆動軸に固定するための回動板が相対回動不能に固定されているとともに、該回動板の所定箇所には、前記回動式可変表示体の回動基準位置を検出するための回動基準位置検出手段により検出される回動基準位置検出部が設けられていることを特徴としている。
この特徴によれば、回動基準位置検出部が回動式可変表示体を駆動軸に固定するための回動板自体に設けられていることにより、回動式可変表示体の成型精度や駆動軸に対する取付け精度に影響されることなく、かつ、回動式可変表示体の回動に応じた回動基準位置の検出が行われるため、駆動軸の回動と回動式可変表示体の回動とのずれによる識別情報の停止位置のずれが効果的に防止される。
【０００８】
本発明の遊技機の前記回動板は、前記駆動軸に圧入されていることが好ましい。
このようにすれば、回動板と駆動軸との相対回動が確実に防止されるため、識別情報の停止位置のずれ等が効果的に防止される。
【０００９】
本発明の遊技機の前記回動基準位置検出手段は、前記駆動モータに対して着脱自在に取り付けられていることが好ましい。
このようにすれば、回動基準位置検出手段の交換等を容易に行うことが出来るばかりか、用途に応じて回動基準位置検出手段を駆動モータに取り付けるか否かを選択することが出来るので、回動基準位置検出手段が不要な場合において無駄な製造コストをかけずに済む。
【００１０】
本発明の遊技機の前記回動基準位置検出手段は、前記回動板が前記駆動軸に相対回動不能に固定されている状態で前記駆動モータに着脱自在であることが好ましい。
このようにすれば、駆動モータだけの製造が可能となる。
【００１１】
本発明の遊技機の前記回動板には穴部が形成されていることが好ましい。
このようにすれば、回動板が軽量となり駆動モータの負荷が低減されるばかりか、放熱効果も高まる。
【００１２】
本発明の遊技機の前記回動基準位置検出手段は、取付板を介して前記駆動モータに取り付けられており、前記取付板における前記駆動モータの本体部との取付部と前記穴部とが対応するように構成されていることが好ましい。
このようにすれば、穴部から工具を挿入したり、穴部から取付部を目視することが出来るため、回動板が駆動軸に固定されている状態における取付板の駆動モータに対する着脱作業が容易になる。
【００１３】
本発明の遊技機の前記回動板と前記回動式可変表示体との対向面には、前記回動板に対する前記回動式可変表示体の固定位置を決定する回動式可変表示体位置決め手段が設けられていることが好ましい。
このようにすれば、固定位置を間違えることなく回動式可変表示体を回動板に固定することが出来る。
【００１４】
本発明の遊技機の前記駆動モータはステッピングモータであり、前記回動基準位置検出部の検出方向の幅寸法は、前記ステッピングモータの基本励磁パターン分のステップ数に相当することが好ましい。
このようにすれば、回動基準位置の検出を、回動基準位置検出手段による回動基準位置検出部の検出と基本励磁パターンとで行う場合にも対応出来る。
【００１５】
本発明の遊技機の前記回動基準位置検出部は、前記回動板の周縁部所定箇所に形成されていることが好ましい。
このようにすれば、回動基準位置検出部が駆動軸の回動中心から離れることで、駆動軸の回動に対する回動基準位置検出部の移動距離が長くなり、回動基準位置の検出誤差の許容範囲を大きくとれることになるので、回動基準位置の検出精度を効果的に高めることが出来る。
【００１６】
本発明の遊技機は、前記駆動モータの本体部と該駆動モータを取り付けるための支持板との対向面には、前記支持板に対する前記駆動モータの取付け位置を決定する駆動モータ位置決め手段が設けられていることが好ましい。
このようにすれば、駆動モータを支持板に対して正確な位置に取り付けることが出来る。
【００１７】
本発明の遊技機は、前記駆動モータはステッピングモータであり、該ステッピングモータのステップ数は、前記識別情報の配置数の整数倍であることが好ましい。
このようにすれば、１つの識別情報に対するステップ数を均等に出来るので、識別情報の停止位置のずれ等が効果的に防止される。
【００１８】
本発明の遊技機の前記回動板は、金属材により構成されていることが好ましい。
このようにすれば、回動基準位置検出部が破損したり変形しにくいため、検出誤差等が効果的に防止される。
【００１９】
【発明の実施の形態】
以下、本発明の実施の形態を図面に基づいて詳細に説明する。
【００２０】
まず、本発明の実施例を図面を用いて説明すると、図１には、本発明が適用された遊技機の一例であるスロットマシンの全体正面図、図２及び図３にはスロットマシン１の内部構造図がそれぞれ示されている。スロットマシン１の本体は、前面が開口する箱状に形成された筐体２（図２参照）と、この筐体２の側端に回動自在に枢支された前面扉４とから構成されており、前面扉４の裏面に設けられた施錠装置３（図３参照）の鍵穴３ａに挿入した所定のキーを時計回り方向に回動操作することにより施錠が解除されて前面扉４を開放することが出来るようになっている。
【００２１】
前面扉４の前面における上、中、下段領域には、装飾パネルとしての化粧シート３０３、３３１、３２０（表示パネル）がそれぞれ設けられているとともに、上段の化粧シート３０３の周囲前面側には、上部取付け枠としての上部飾り枠３０６が、中段の化粧シート３３１の周囲前面側には中央部取付け枠としての中央部飾り枠３５３が、下段の化粧シート３２０の周囲前面側には下部取付け枠としての下部飾り枠３２３がそれぞれ設けられている。
【００２２】
中段の化粧シート３３１と下段の化粧シート３２０との間には前面側に突出する突出部７が形成されており、この突出部７には、メダル投入部３４や各種操作ボタン３５、３６ａ、３６ｂ、３７、４０Ｌ、４０Ｃ、４０Ｒ、及びスタートレバー３８等、ゲームの進行に関連して操作される操作部が設けられているとともに、突出部７の側面から下部周面には、内部に遊技効果ＬＥＤ１３２が内蔵される遊技効果ＬＥＤ部４２が設けられている。また、この遊技効果ＬＥＤ部４３の左右側下方には、内部に遊技効果ＬＥＤ１３３が内蔵される略三角形状の遊技効果ＬＥＤ部４３が設けられている。
【００２３】
下段の化粧シート３２０の下方には、遊技媒体の一例となるメダルが払出されるメダル払出穴９が設けられているとともに、端部に灰皿１０が設けられたメダル受皿１１が設けられている。なお、このメダル排出穴９は、その下端周縁がメダル受皿１１の上面最上位とほぼ同じ高さに位置するように形成されているため、メダル受皿１１内がメダルにより充満された状態においてメダルの払出しがなされてもメダル排出穴９内にメダルが詰まることがない。なお、このメダル排出穴９は、その下端周縁がメダル受皿１１の上面最上位よりも上方の高さに位置するように形成されていればメダル詰まりをより効果的に回避出来る。
【００２４】
また、前面扉４の上端及び左右端周縁近傍には、内部に遊技効果ＬＥＤ１３１が内蔵される遊技効果ＬＥＤ部４１がスロットマシン１全体を囲むように設けられている。
【００２５】
上段の化粧シート３０３の略中央位置には、遊技に関わる種々の内容の演出を画像により表示可能な演出手段としての液晶表示器１３５（図４参照）の液晶表示部１５が設けられているとともに、この液晶表示部１５の左右側には、後述するように前面扉４の裏面に設けられる高音用のスピーカ１３６ａ、１３６ｂ（図３、図４参照）から出力される音を放音する放音部１２ａ、１２ｂがそれぞれ設けられている。また、メダル払出穴９の側方にも前面扉４の裏面に設けられる低音用のスピーカ１３７（図３、図４参照）から出力される音を放音する放音部１３が設けられており、これら放音部１２ａ、１２ｂ、１３からは、各スピーカ１３６ａ、１３６ｂ、１３７から出力される演出効果を高めるための音声やメロディ等の効果音が放音されるようになっている。さらに化粧シート３０３における液晶表示部１５の左右側には、入賞図柄等が示される遊技情報表示部８が設けられている。
【００２６】
中段の化粧シート３３１内には、スロットマシン１の筐体２に内設されたリール５１Ｌ、５１Ｃ、５１Ｒを透視可能な透視窓１４と、透視窓１４の左側及び右側に位置する演出用表示部１６〜２５と、透視窓１４の下側に位置するクレジット表示部３１、ゲーム回数表示部３２、ペイアウト表示部３３及び、リプレイ表示部２７、スタート表示部２８、ウェイト表示部２９、投入指示表示部３０、１枚賭け表示部４５、２枚賭け表示部４６、３枚賭け表示部４７と、がそれぞれ設けられている。
【００２７】
１枚賭け表示部４５、２枚賭け表示部４６、３枚賭け表示部４７は遊技者がゲームに賭けた賭数を表示し、１枚賭け表示部４５の内部には１枚賭けＬＥＤ１１５が、２枚賭け表示部４６の内部には２枚賭けＬＥＤ１１６、３枚賭け表示部４７の内部には３枚賭けＬＥＤ１１７がそれぞれ内蔵されている（図３、図４参照）。また、演出用表示部２１〜２５は、図のように透視窓１４の左右側、及び後述するリール間隠蔽部５３に描かれた５つの入賞ラインＬ１、Ｌ２、Ｌ２’、Ｌ３、Ｌ３’のいずれかと対応しており、賭数に応じて有効化された入賞ラインＬ１、Ｌ２、Ｌ２’、Ｌ３、Ｌ３’を識別可能に報知する有効ライン表示部と兼用されている。
【００２８】
リプレイ表示部２７は、リプレイ入賞が発生した場合に、その内部に内蔵されたリプレイＬＥＤ１１１（図３、図４参照）が点灯する。スタート表示部２８は、賭数が設定されることによりスタート操作をすることが可能となった場合に、その内部に内蔵されたスタートＬＥＤ１１２（図３、図４参照）が点灯し、有効なスタート操作が検出されることにより消灯する。
【００２９】
ウェイト表示部２９は、ウェイトタイム中にスタート操作が検出された場合に、その内部に内蔵されたウェイトＬＥＤ１１３（図３、図４参照）が点灯し、ウェイトタイムが経過した後に消灯する。ウェイトタイムは、ゲームがあまりに速く進行しすぎてしまうことを規制するために設定されたゲーム進行規制期間であり、このウェイトタイム中にスタート操作が検出されると、ウェイトタイムが経過した後にリールが始動するように設定されている。従って、十分な時間間隔を空けてゲームを進行する場合にはスタートレバー３８の操作時にゲームの進行が規制されることはないが、短時間でゲームを進行しようとする場合にはウェイトタイムによってゲームの進行が一時的に規制され、ウェイトタイムが経過するまでの間リールの始動待ち状態となる。
【００３０】
なお、このスロットマシン１では、前回のゲームでリールの回転が開始した時点を基準として、例えば４．１秒のゲーム進行規制期間が設定されており、前回のゲームでリールの回転が開始された時点から４．１秒が経過する前に今回のスタート操作が検出された場合、ゲーム進行規制期間が経過した後にリールの回転が開始される。
【００３１】
投入指示表示部３０は、メダルを受付可能な状態である場合に、その内部に内蔵された投入指示ＬＥＤ１１４（図３、図４参照）が点滅し、最大の賭数が設定され、かつ、クレジット数が予め定められた上限値に達した場合、ゲームが開始された場合等に消灯する。
【００３２】
クレジット表示部３１は、その内部に内蔵されたクレジット表示器１０８によりクレジット数が表示される。クレジットとは、遊技者所有の有価価値としてスロットマシン１内部の記憶部に記憶されているメダル数であり、メダル投入口へのメダルの投入、及び払出しのある入賞の発生等によって加算更新され、賭数を設定したり、精算操作に基づいてメダルを払出したりすることによって減算更新される。このスロットマシン１では、クレジットとして記憶可能な価値の上限値が最大でメダル５０枚分とされており、この上限値（メダル５０枚）に達した場合には投入指示表示部３０が消灯する。そして、上限値を越えるクレジットの加算更新の要求が発生した場合にはその上限を越えるメダルがメダル払出穴９から払出される。
【００３３】
なお、本実施例におけるクレジット表示器１０８は、３桁の数値を表示出来るように３つの７セグ表示器から構成されているため、例えば機種変更等に伴い、クレジットとして記憶可能な価値の上限値である数値が、本実施例にて設定されている５０以上の３桁の数値に設定された場合においても対応して表示出来るようになっている。なお、本実施例のようにクレジットとして表示する数値が２桁である場合において、クレジットの表示に使用する２つの７セグ表示器以外の７セグ表示器は、前述したクレジットの数値以外の表示、例えば後述する設定値を表示する表示器や演出用の表示器等として使用出来る。なお、本実施例においては３桁の数値を表示可能であるが、３桁以上の数値を表示可能に構成してもよい。
【００３４】
ゲーム回数表示部３２は、その内部に内蔵されたゲーム回数表示器１０９によりビッグボーナス中のレギュラーボーナス入賞状況や、レギュラーボーナス中の入賞回数等を表示し、特にビッグボーナスが終了して打ち止め状態となった際には「ＥＮＤ」という文字を表示して、遊技者に打ち止め状態である旨を報知する。さらにゲーム回数表示部３２は、スロットマシン１に発生した各種の異常を表示するエラー表示器としても機能する。例えば、制御部により検出される異常種別には、「払出しすべきメダルの不足状態」、「メダル詰まり」、「払出条件が成立していないにも拘わらず入賞図柄の組み合わせが導出表示されたこと」等がある。これらの異常が制御部により検出された場合、その異常種別を特定可能なエラーコードが「Ｅ−１」や「Ｅ−２」等の態様により表示される。
【００３５】
ペイアウト表示部３３は、その内部に内蔵されたペイアウト表示器１１０により１ゲーム中に発生した入賞に基づいて遊技者に付与されるクレジット数を入賞がある毎に表示する。
【００３６】
なお本実施例においては、演出用表示部１６はゲーム回数表示部３２、演出用表示部１７はリプレイ表示部２７、演出用表示部１８はウェイト表示部２８、演出用表示部１９はスタート表示部２９、演出用表示部２０は投入指示表示部３０、演出用表示部２１は１枚賭け表示部４５、演出用表示部２２、２３は２枚賭け表示部４６、演出用表示部２４、２５は３枚賭け表示部４７と同様の内容を表示する表示部として設けられているが、これら演出用表示部１６〜２５が示す機能は各表示部２７〜３０、３２、４５〜４７に備えられているとともに、これら各演出用表示部１６〜２５に内蔵される各演出用ランプ１４０〜１４９（図３、図４参照）は後述する演出制御基板２０１（図４参照）に接続されているので、例えば他の演出等に関わる内容を表示する表示部とすることも可能である。
【００３７】
なお、演出用表示部１６に関しては、後述するビッグボーナスが終了することにより打ち止め状態となった場合、及び何らかのエラーが発生して遊技を進行させることが出来ない状態となった場合に、その内部に内蔵されたゲームオーバーＬＥＤ１４０（図３、図４参照）が点灯するようになっており、ゲームオーバー表示部として機能する。
【００３８】
また、各演出用表示部１６〜２５の内部には、それぞれ演出用ランプ１４０〜１４９（図３、図４参照）が内蔵されており、演出用ランプ１４０を除く演出用ランプ１４１〜１４９は、対応する各表示部２７〜３０、４５〜４７に内蔵された各ＬＥＤ１１１〜１１７に対応して点灯、消灯するようになっている。
【００３９】
突出部７の上面右側にはメダル投入口が形成されたメダル投入部３４が設けられているとともに、左側には精算ボタン３７、１枚ＢＥＴボタン３６ａ、ＭＡＸＢＥＴボタン３６ｂがそれぞれ設けられている。
【００４０】
１枚ＢＥＴボタン３６ａは、１クレジットを賭ける際に押圧するボタンであり、ＭＡＸＢＥＴボタン３６ｂは、１ゲームにおいて許容される賭数の最大数（本実施例ではメダル３枚分）をクレジットに記憶されている範囲内でゲームに賭ける際に押圧するボタンである。１枚ＢＥＴボタン３６ａの内部にはＢＥＴボタンＬＥＤ１２１ａが、また、ＭＡＸＢＥＴボタン３６ｂの内部にはＢＥＴボタンＬＥＤ１２１ｂがそれぞれ内蔵されており（図４参照）、これらのＢＥＴボタンＬＥＤ１２１ａ、１２１ｂは、対応するＢＥＴボタンが押圧されて賭数を設定可能な状態にある場合に点灯し、賭数を設定不可能な状態の場合に消灯する。
【００４１】
精算ボタン３７は、記憶部に記憶されているクレジットの精算操作をする際に押圧するボタンであり、この精算ボタン３７の押圧操作に伴い、クレジット表示部３１に表示されているクレジット数が０になるまで減算更新されるとともに、クレジット相当数のメダルがメダル払出穴９から払出されるようになっている。
【００４２】
突出部７における前面には、スタートレバー３８、ストップボタン４０Ｌ、４０Ｃ、４０Ｒ、メダル詰まり解除ボタン３５がそれぞれ設けられている。スタートレバー３８は、ゲームを開始する際に操作するレバーであり、賭数の設定終了後においてスタートレバー３８を操作することにより各リール５１Ｌ、５１Ｃ、５１Ｒの回転が開始される。
【００４３】
各ストップボタン４０Ｌ、４０Ｃ、４０Ｒは、ゲームが開始した後にリール５１Ｌ、５１Ｃ、５１Ｒの回転を停止させる際に操作するボタンであり、ストップボタン４０Ｌの内部には操作有効ＬＥＤ１２２Ｌが、ストップボタン４０Ｃの内部には操作有効ＬＥＤ１２２Ｃが、ストップボタン４０Ｒの内部には操作有効ＬＥＤ１２２Ｒが内蔵されている（図４参照）。これら操作有効ＬＥＤ１２２Ｌ、１２２Ｃ、１２２Ｒは、対応するストップボタン４０Ｌ、４０Ｃ、４０Ｒの操作が有効である場合に点灯し、操作が無効である場合に消灯する。また、ストップボタン４０Ｌ、４０Ｃ、４０Ｒが配列されたストップボタンユニット３９は、ビッグボーナス入賞やレギュラーボーナス入賞の内部当選フラグが設定されている場合に、その内部に内蔵されたボーナス告知ＬＥＤ１２０（図４参照）が点灯する。
【００４４】
メダル詰まり解除ボタン３５は、メダル投入部３４に投入されたメダルが内部で詰まった場合に、これを解消させる際に操作するボタンである。
【００４５】
次に、図２に示されるように、筐体２内略中央部には、ゲーム用識別情報としての複数種の図柄（図示略）が印刷された透光性を有する可変表示部材としての帯状のリールシート６５５が外周に巻回された回動式可変表示体としてのリール５１Ｌ、５１Ｃ、５１Ｒ（ゲームの進行を実行するために用いるゲーム用リール）が組み付けられた前面が開口する箱状に形成されたベース部材としてのリール収容箱体５２が、筐体２の後壁である背板８５内面に着脱自在に取り付けられており、このリール収容箱体５２内に内蔵されたリール５１Ｌ、５１Ｃ、５１Ｒにより可変表示装置５０が構成されている。なお、本実施例における各リール５１Ｌ、５１Ｃ、５１Ｒのリールシート６５５には、それぞれ複数種の図柄が２０個ずつ配置されている。
【００４６】
それぞれのリール５１Ｌ、５１Ｃ、５１Ｒは、各々に対応して設けられたステッピングモータからなる駆動モータとしてのリールモータ５４Ｌ、５４Ｃ、５４Ｒによりそれぞれ独立して縦方向に回転（駆動）、停止するように構成されており、各リール５１Ｌ、５１Ｃ、５１Ｒが回転することにより、透視窓１４には前記各種図柄が連続的に変化しつつ表示されるようになっている。
【００４７】
横方向に並設されたリール５１Ｌとリール５１Ｃとの間、及びリール５１Ｃとリール５１Ｒとの間には、各リール間を閉塞する円弧状のリール間隠蔽部５３が形成されており、遊技者側から各リール間を通して内部が見えないようになっている。透視窓１４のうち、リール間隠蔽部５３によって視界が仕切られることによって分割される３つの領域、すなわち、各リールが視認出来る３つの領域部分を、各リールに対応させて左可変表示部、中可変表示部、右可変表示部（領域）と呼ぶ。
【００４８】
透視窓１４の各可変表示部からは、各リールに描かれた複数の図柄のうち、連続する３つの図柄が上段、中段、下段の位置に表示されるとともに、上段の上方部分には間もなく上段の位置に現れる図柄の一部が、下段の下方部分には間もなく可変表示部の下に隠れて見えなくなる図柄の一部がそれぞれ表示される。
【００４９】
各リール５１Ｌ、５１Ｃ、５１Ｒ内には各リールの回動基準位置を検出する回動基準位置検出手段としてのリールセンサ５６Ｌ、５６Ｃ、５６Ｒが設けられており（図４及び図７参照）、このリールセンサ５６Ｌ、５６Ｃ、５６Ｒにより所定の図柄の停止位置を導出出来るようになっているとともに、各リール５１Ｌ、５１Ｃ、５１Ｒにおける特定の表示領域（上、中、下段の表示領域）、すなわち、遊技者が透視窓１４を通して視認可能となる視認領域を後面側から個別に照射可能な照射手段としての複数のリールＬＥＤ５５が、それぞれのリール５１Ｌ、５１Ｃ、５１Ｒの上、中、下段それぞれに２つずつ設けられており、これら各リールＬＥＤ５５は、通常時において透視窓１４に表示される各図柄を目立たせるように後方から点灯するバックライトとして機能するようになっている。また、可変表示装置５０の詳細な構造に関しては後述することとする。
【００５０】
なお、本実施例においては、前記遊技効果ＬＥＤ１３１〜１３３及び前記リールＬＥＤ５５に関しては、単体で異なる７色に発光可能なＬＥＤが用いられているが、特に前面扉４の上端及び左右端周縁近傍に、スロットマシン１全体を囲むように設けられている遊技効果ＬＥＤ部４１の内部には、複数色に発光可能なＬＥＤの替わりに、赤色（Ｒｅｄ）、緑色（Ｇｒｅｅｎ）、青色（Ｂｌｕｅ）にそれぞれ彩色された３本の白色蛍光灯を設け、これら各色の光源の点滅の切替で少なくとも７色の照光を可能とするとともに、各光源の電圧を変える等して光量を異ならしめること等により、中間色を含め種々の色調を表現出来るようにしてもよい。
【００５１】
このように、スロットマシン１の前面周囲を覆うように設けられる遊技効果ＬＥＤ部４１部には、リレー点滅による演出や各色の発色性を重視する場合には複数色に発光可能なＬＥＤを適用し、強い光源を求める場合には発光色の異なる複数の蛍光灯を適用するといったように、実施する演出に応じて前記ＬＥＤや蛍光灯を適用すればよい。また、これらを併設して各種演出を可能としてもよい。
【００５２】
また、特に図２においては図示されないが、リール収容箱体５２における後面板の後面には後述するリール中継基板２０３が、また、上面板の上面には後述するリールＬＥＤ中継基板２０４がそれぞれ取り付けられている。
【００５３】
筐体２の後壁である背板８５の内面上部には、後述するように主に遊技の進行を制御する制御部２１０や各種回路が格納された遊技制御基板２００が収納された収納ケース５００が取り外し不能に固定されている。また、筐体２を前面側からみて右側の側板８７の内面におけるリール収容箱体５２の側方位置には、後述する外部出力基板２０５が取り付けられている。なお、筐体２の背板８５の上部所定箇所及び上板８８の所定箇所には放熱用穴部９０ａ、９０ｂがそれぞれ形成されており、これら穴部９０ａ、９０ｂの前面側は有孔板９１により覆われている。
【００５４】
筐体２内部におけるリール収容箱体５２の下方には、メダル投入部３４から投入されたメダルを貯留するホッパータンク５７ａを有するホッパーユニット５７が、筐体２の下板８９の上面に固設された案内レール５８を介して前方に引出し可能に配設されている。また、ホッパーユニット５７の右側にはホッパータンク５７ａからオーバーフローしたメダルが貯留されるオーバーフロータンク５９が設けられている。このオーバーフロータンク５９内にはメダルを検出可能な満タンセンサ６０が設けられており、内部に貯留されたメダル貯留量が所定量以上となったことを報知出来るようになっている。
【００５５】
ホッパーユニット５７の下方部分にはホッパーモータ６２が設けられており、このホッパーモータ６２が回転することによりホッパータンク５７ａ内のメダルがメダル排出口６３から排出される。排出されたメダルは、メダル排出口６３の近傍に設けられる払出しメダルセンサ６１により検出された後、後述する返却メダル流路７３を介してメダル払出穴９よりメダル受皿１１まで払い出される。なお、ホッパーモータ６２は、払出しメダルセンサ６１により所定枚数の払出メダルが検出された時点で停止するように制御されている。
【００５６】
ホッパーユニット５７の側部には、メイン電源をＯＮ／ＯＦＦするメインスイッチ部６５と、ビッグボーナスの終了時や遊技中にエラーが生じた場合等において再びゲームを続行可能な状態にリセットするための第２リセットボタン６６と、入賞確率を変更可能とする設定ボタン６７と、自動精算機能をＯＮ／ＯＦＦする自動精算選択スイッチ部６８と、自動打止め機能をＯＮ／ＯＦＦする打止め選択スイッチ部６９と、遊技場の管理者等が所持する特定のキーを挿入した状態で所定の操作を行なうことで前記設定ボタン６７の操作を可能、不可とする設定キー挿入部７０と、が前面に設けられた電源ユニット６４が配設されている。
【００５７】
入賞確率は、本実施例では、予め定められた入賞確率の値を６つのパターンの設定値として記憶しており、これを上記設定ボタン６７を操作することにより任意に選択することで、入賞確率の異なる遊技を行うことが可能となる。
【００５８】
図３に示されるように、前面扉４の裏面略中央部には、メダル投入部３４から投入されたメダルをホッパータンク５７ａに導く投入メダルセレクタ７１が固設されている。この投入メダルセレクタ７１の上流側には不正メダル排出部７２が設けられており、大きさや厚みが適正メダルと異なる不正メダルは、投入メダルセレクタ７１の下方に設けられる返却メダル流路７３の上部投入口に排出され、メダル払出穴９を介してメダル受皿１１に返却されるようになっている。
【００５９】
不正メダル排出部７２の下流側には、流下するメダル流路を選択的に切り替え可能とする流路切替ソレノイド１０７が設けられている。通常時において流路切替ソレノイド１０７は励磁されており、流下するメダルは流路を切り替えられることなく流下し、下流側に設けられた投入メダルセンサ１０６により検出された後、ホッパータンク５７ａ内に貯留されるようになっている。そして例えばクレジット数が５０に達している場合、エラーが発生している場合、クレジットの清算処理が実行されている場合、ゲームが実行されている場合等においては流路切替ソレノイド１０７の励磁が解除されて流路が切替わり、メダルは返却流路を経て返却メダル流路７３に導かれるようになっている。
【００６０】
前面扉４の裏面上部には、遊技に関わる所定の演出の実行を制御する演出制御手段としての制御部２３０や各種回路等が格納されている演出制御基板２０１が収納された収納ケース５５０が取り付けられている。この収納ケース５５０には、遊技情報表示部８を後方から照らす蛍光灯１３８（図４参照）や、演出手段としての液晶表示器１３５（図４参照）が備えられている。
【００６１】
収納ケース５５０の左右側には、高音用のスピーカ１３６ａ、１３６ｂが前述した放音部１２ａ、１２ｂにそれぞれ臨むように固設されているとともに、前面扉４における下部所定箇所裏面側には、低音用のスピーカ１３７が放音部１３に臨むように固設されており、例えばメダルのメダル投入部３４への投入、スタートレバー３８の操作、ストップボタン４０Ｌ、４０Ｃ、４０Ｒの操作等、遊技中において各種動作がなされた場合や、特定の図柄の組み合わせが有効化された有効ライン上に揃って表示されて所定の入賞条件が成立した場合、あるいは後述するビッグボーナスやレギュラーボーナスが実行されている場合等の各種遊技状態において、該遊技状態に対応する所定の遊技効果音等が各スピーカ１３６ａ、１３６ｂ、１３７から出力されるようになっている。
【００６２】
前面扉４の裏面略中央部には、前面側に化粧シート３３１が組み付けられたユニット部材３６０が、その上下取付片３６５、３６６に設けられたラッチ３６８を介して前面扉４に形成された上下固定片３６９、３７１に固定することにより前面扉４に対して着脱自在に取り付けられており、このユニット部材３６０には、リール５１Ｌ、５１Ｃ、５１Ｒの上部及び中段の化粧シート３３１の後面を上方から照らす蛍光灯１５０ａ〜１５０ｃ（図３、図４参照）や、演出用ランプ１４０〜１４９が設けられるランプ基板３３７、各種表示器１０８〜１１０、１２４、各種ＬＥＤ１１１〜１１７が設けられる遊技用中継基板３３８、演出用中継基板３３６が設けられている。
【００６３】
なお、本実施例における蛍光灯１５０ａ〜１５０ｃは、赤色（Ｒｅｄ）、緑色（Ｇｒｅｅｎ）、青色（Ｂｌｕｅ）の異なる３色にそれぞれ彩色されており、これら各色の光源の点滅の切替で少なくとも７色の照光が可能であるとともに、また、各光源の電圧を変える等して光量を異ならしめること等により、中間色を含め種々の色調を表現出来るようになっている。
【００６４】
ユニット部材３６０の下方に設けられる遊技用中継基板３３８には、その前面側には前述した各種表示器１０８〜１１０や各種ＬＥＤ１１１〜１１７が設けられているとともに、後面側（図３中手前側）には、設定値を表示可能な１つの７セグ表示器からなる設定値表示器１２４が設けられている。
【００６５】
このように設定値を表示可能な設定値表示器１２４を前面扉４の裏面側に設けることにより、前述したように筐体２内に設けられる電源ユニット６４の設定ボタン６７により設定値の切替操作を行う場合において、作業者は前面扉４を開成した状態で設定値を見ながら設定操作を行うことが出来る。また、本実施例における設定値表示器は、前面扉４における透視窓１４下方に設けられた遊技用中継基板３３８に設けられていたが、設置個所は前面扉４や筐体２の前面側等、前面扉４を開成して設定操作する場合に視認可能な位置であれば任意に変更可能である。また、この設定値表示用の表示器に他の内容を表示してもよいし、あるいは前面扉４の裏面側に設けられる他の表示器（例えばクレジット表示器１０８等）を利用して設定値を表示するようにしてもよい。
【００６６】
次に、遊技者が遊技（ゲーム）を行なうための操作や、該操作に伴う各種装置の作動状況を説明する。
【００６７】
ゲームを開始する場合は、遊技者はまず投入指示ＬＥＤ１１４が点灯または点滅している時に、メダルやクレジットを使用して所望の大きさの有価価値を賭けて所望の大きさの賭数を設定する。賭数は、メダルをメダル投入部３４から投入するか、あるいはクレジットを使用することにより設定出来るようになっている。クレジットを使用するにはＭＡＸＢＥＴボタン３６ｂ、または１枚ＢＥＴボタン３６ａを押圧すればよく、ＭＡＸＢＥＴボタン３６ｂが押圧されるとクレジット表示部３１に表示されたクレジット数が、本実施例で１ゲームにおいて許容される賭数の最大数である「３」だけ減算表示されてメダル３枚分の賭数が設定され、また、１枚ＢＥＴボタン３６ａが押圧されるとクレジット表示部３１に表示されているクレジット数が「１」だけ減算表示されてメダル１枚分の賭数が設定される。なお、クレジット表示部３１に表示されるクレジット数が３に満たない場合、設定可能な賭数の範囲はそのクレジット数の範囲内に限られる。
【００６８】
遊技者により１枚のメダルがメダル投入部３４から投入されるか、１枚ＢＥＴボタン３６ａが押圧操作されると賭数が「１」に設定されるとともに、中段の横１列の入賞ラインＬ１が有効となり、この入賞ラインＬ１が有効となった旨を示す１枚賭けＬＥＤ１１５、及び演出用ランプ１４５（図３、図４参照）が点灯する。続けて２枚目のメダルがメダル投入部３４から投入されるか、１枚ＢＥＴボタン３６ａが２回押圧操作されると賭数が「２」に設定され、上、中、下段の横３列の入賞ラインＬ１、Ｌ２、Ｌ２’が有効となり、これらの入賞ラインＬ１、Ｌ２、Ｌ２’が有効となった旨を示す１枚賭けＬＥＤ１１５、２枚賭けＬＥＤ１１６及び演出用ランプ１４５〜１４７が点灯する。続けて３枚目のメダルがメダル投入部３４から投入されるか、１枚ＢＥＴボタン３６ａが３回押圧操作されるか、あるいはＭＡＸＢＥＴボタン３６ｂが押圧されると賭数が「３」に設定され、上、中、下段の横３列の入賞ラインＬ１、Ｌ２、Ｌ２’及び斜め対角線上２列の入賞ラインＬ３、Ｌ３’が有効となり、これらの入賞ラインＬ１、Ｌ２、Ｌ２’、Ｌ３、Ｌ３’が有効となった旨を示す１枚賭けＬＥＤ１１５、２枚賭けＬＥＤ１１６、３枚賭けＬＥＤ１１７、及び演出用ランプ１４５〜１４９が点灯する。なお、賭数が最大数である「３」に設定された場合には、それを越える賭数を設定することは出来ないためＢＥＴボタンＬＥＤ１２１ａ、１２１ｂは消灯する。
【００６９】
そして上記のように少なくとも最小数である「１」の賭数が設定された時点でスタートレバー３８の操作が有効に受付けられる状態、すなわち、ゲームが開始可能な状態となり、このスタートレバー３８の操作が有効に受付けられる状態になった旨を示すスタートＬＥＤ１１２が点灯される。
【００７０】
なお、このようなメダルやクレジット等の設定される賭数に応じて有効化される有効ラインの本数、及び形状等は任意に変更可能であり、本実施例の形態に限定されるものではない。また、賭数に応じて有効化される有効ラインの本数も任意に設定変更可能であり、例えば１枚のメダル投入により上記５本全ての入賞ラインＬ１、Ｌ２、Ｌ２’、Ｌ３、Ｌ３’が有効化されるようになっていてもよい。
【００７１】
スタートＬＥＤ１１２が点灯している状態でスタートレバー３８を押圧操作すれば、可変表示装置５０が作動して各リール５１Ｌ、５１Ｃ、５１Ｒが回転し、透視窓１４には複数種類の図柄が連続的に変化するように表示される。前述したようにリール５１Ｌ、５１Ｃ、５１Ｒの回転が開始されてから所定時間が経過すれば各ストップボタン４０Ｌ、４０Ｃ、４０Ｒの操作が有効になり、これらストップボタン４０Ｌ、４０Ｃ、４０Ｒの操作が有効になった旨を示す操作有効ＬＥＤ１２２Ｌ、１２２Ｃ、１２２Ｒが点灯する。操作有効ＬＥＤが点灯している状態で遊技者がいずれかのストップボタン４０Ｌ、４０Ｃ、４０Ｒを押圧操作すれば、対応する操作有効ＬＥＤ１２２Ｌ、１２２Ｃ、１２２Ｒが消灯するとともに、対応するリール５１Ｌ、５１Ｃ、５１Ｒの回転が停止され、透視窓１４からは対応する可変表示部の上、中、下段に図柄が表示される。なお、ストップボタン４０Ｌ、４０Ｃ、４０Ｒを押圧操作する順序は不定であって遊技者が任意に選択することが出来る。
【００７２】
また、遊技者がストップボタン４０Ｌ、４０Ｃ、４０Ｒを押圧操作しない場合には、所定時間（例えば３０秒）が経過した時点で例えばリール５１Ｌ、５１Ｃ、５１Ｒの優先順序で自動的に順次停止する。
【００７３】
そして３つのうちいずれか２つのリールの回転が停止された時点で、賭数に応じて有効化されたいずれかの入賞ラインＬ１、Ｌ２、Ｌ２’、Ｌ３、Ｌ３’上に同種の図柄が揃って停止表示された場合にはリーチが成立する。
【００７４】
さらに全てのリール５１Ｌ、５１Ｃ、５１Ｒが停止された時点で、賭数に応じて有効化されたいずれかの入賞ラインＬ１、Ｌ２、Ｌ２’、Ｌ３、Ｌ３’上に予め定められた図柄の組み合わせが表示された場合は入賞となり、各種遊技効果ＬＥＤ部４１〜４３の内部に内蔵された遊技効果ＬＥＤ１３０〜１３３（図４参照）や入賞ラインＬ１、Ｌ２、Ｌ２’、Ｌ３、Ｌ３’に対応するリールＬＥＤ５５等が点灯するとともに、スピーカ１３６ａ、１３６ｂ、１３７から効果音等が出力されること等による演出が実行される。そして、入賞内容に対応して予め定められた所定枚数のメダルが遊技者に対してクレジットとして払出されてクレジット表示部３１に表示されたクレジット数が加算更新される。また、クレジット数が上限数に達した場合には、メダルが直接メダル払出穴から払い出される。これらメダルの払出し枚数はペイアウト表示部３３に表示される。
【００７５】
また、特に予め定められた特別図柄の組み合わせが表示されて大当たり入賞した場合等にあっては、メダルの払出しが行なわれるとともに、通常遊技状態とは異なるとともに、遊技者にとって有利な、すなわち大量のメダルを獲得出来る特別遊技状態が発生し、小役ゲームとレギュラーボーナスが提供されるビッグボーナス（以下ＢＢと称する）や、１回のレギュラーボーナスが提供されるレギュラーボーナス（以下ＲＢと称する）が遊技者に対して遊技価値として付与されるようになっている。
【００７６】
なお、このように入賞することにより遊技者に対して付与される「遊技価値」は、メダル及びクレジット等の有価価値に限らず、上記のように大当たり入賞した場合等において遊技者に対して付与されるＢＢやＲＢ等、遊技に関連する特典全てを含む。
【００７７】
図４は、スロットマシン１に設けられた各種基板と電気部品との接続状況を説明するためのブロック図である。また、図５は、遊技制御基板２００に設けられた遊技制御手段としての制御部２１０の構成と、演出制御基板２０１に設けられた演出制御手段としての制御部２３０の構成と、を説明するためのブロック図である。
【００７８】
スロットマシン１に設けられた各種基板のうち、遊技制御基板２００によって遊技状態が制御され、演出制御基板２０１によって遊技状態に応じた演出制御がなされる。また、電源基板２０２にはスロットマシン１の外部から電源が供給される。この電源基板２０２には、ＡＣ１００Ｖの電源の供給を受けるための電源コード８４と、メインスイッチ８０とが接続されている。
【００７９】
遊技制御基板２００は、演出制御基板２０１、電源基板２０２、リール中継基板２０３と配線接続されているとともに、リール中継基板２０３を介して外部出力基板２０５と、また、演出制御基板２０１を介してリールＬＥＤ中継基板２０４と接続されている。
【００８０】
遊技制御基板２００の制御部２１０は、遊技状態がレギュラーボーナス状態であることを示すＲＢ中信号や、遊技状態がビッグボーナス状態であることを示すＢＢ中信号、各リール５１Ｌ、５１Ｃ、５１Ｒに対応するリールモータ５４Ｌ、５４Ｃ、５４Ｒを制御するためのリール制御信号（モータ位相信号）、賭数を設定するために用いられたメダル数を示すメダルＩＮ信号、入賞の発生により遊技者に払出されたメダル（クレジット）数を示すメダルＯＵＴ信号などをリール中継基板２０３を介して外部出力基板２０５からスロットマシン１の外部に出力する制御を行う。なお、ストップスイッチ１０３Ｌ、１０３Ｃ、１０３Ｒの操作がなされた旨を示すストップスイッチ信号は、後述するようにストップスイッチ１０３Ｌ、１０３Ｃ、１０３Ｒから直接出力された信号である。
【００８１】
遊技制御基板２００には、各種のスイッチ、センサ、ＬＥＤ、ソレノイド、及び表示器からの配線が接続されている。
【００８２】
例えば、電源基板２０２に配線接続された設定スイッチ８３、設定キースイッチ８２、第２リセットスイッチ８１、払出しメダルセンサ６１、及びホッパーモータ６２は、電源基板２０２によって中継されて遊技制御基板２００と配線接続されており、それぞれのスイッチ及びセンサの検出信号は、遊技制御基板２００の制御部２１０に入力される。また、制御部２１０は、メダルの払出し条件（メダルを払出す必要のある入賞の発生、精算スイッチ１０４からの検出信号の入力）が成立すると、ホッパーモータ６２に制御信号を出力して、所定数のメダルを払出す払出し制御を実行する。
【００８３】
リール中継基板２０３に配線接続されたリールモータ５４Ｌ、５４Ｃ、５４Ｒ、及びリールセンサ５６Ｌ、５６Ｃ、５６Ｒは、リール中継基板２０３によって中継されて遊技制御基板２００に配線接続されており、リールセンサ５６の検出信号は、遊技制御基板２００の制御部２１０に入力される。リールＬＥＤ５５は、リールＬＥＤ中継基板２０４によって中継されて演出制御基板２０１に配線接続されている。遊技制御基板２００の制御部２１０は、始動条件（スタートスイッチ１０２の検出信号の入力）が成立すると、リールモータ５４Ｌ、５４Ｃ、５４Ｒに制御信号を出力してリールの変動を開始させた後、表示結果を導出表示させる可変表示制御を実行する。
【００８４】
遊技制御基板２００に配線接続されたスイッチのうち、１枚ＢＥＴスイッチ１００は１枚ＢＥＴボタン３６ａの操作を検出し、ＭＡＸＢＥＴスイッチ１０１はＭＡＸＢＥＴボタン３６ｂの操作を検知するスイッチであり、スタートスイッチ１０２はスタートレバー３８の操作を検出するスイッチであり、左、中、右ストップスイッチ１０３Ｌ、１０３Ｃ、１０３Ｒは、左、中、右ストップボタン４０Ｌ、４０Ｃ、４０Ｒの操作を検出するスイッチである。精算スイッチ１０４は、精算ボタン３７の操作を検出するスイッチであり、第１リセットスイッチ１０５は、施錠装置３の鍵穴３ａに挿入したキーによるスロットマシン１のリセット操作を検出するスイッチである。
【００８５】
投入メダルセンサ１０６は、メダル投入部３４に投入されたメダルを検出するセンサである。流路切替ソレノイド１０７は、メダル投入部３４に投入されたメダルの流路をホッパータンク５７ａ側もしくはメダル払出穴９側に切り換えるためのソレノイドである。
【００８６】
クレジット表示器１０８はクレジット表示部３１を構成する表示器であり、ゲーム回数表示器１０９はゲーム回数表示部３２を構成する表示器であり、ペイアウト表示器１１０はペイアウト表示部３３を構成する表示器である。
【００８７】
リプレイＬＥＤ１１１は、リプレイ表示部２７に内蔵されるＬＥＤであり、スタートＬＥＤ１１２は、スタート表示部２８に内蔵されるＬＥＤであり、ウェイトＬＥＤ１１３はウェイト表示部２９に内蔵されるＬＥＤである。投入指示ＬＥＤ１１４は、投入指示表示部３０に内蔵されるＬＥＤである。
【００８８】
１枚賭けＬＥＤ１１５は１枚賭け表示部４５に、２枚賭けＬＥＤ１１６は２枚賭け表示部４６に、３枚賭けＬＥＤ１１７は３枚賭け表示部４７に内蔵されるＬＥＤである。なお、ボーナス告知ＬＥＤ１２０はストップボタンユニット３９に内蔵されるＬＥＤである。ＢＥＴボタンＬＥＤ１２１ａは１枚ＢＥＴボタン３６ａに、ＢＥＴボタンＬＥＤ１２１ｂはＭＡＸＢＥＴボタン３６ｂに内蔵されるＬＥＤである。左操作有効ＬＥＤ１２２Ｌは、左ストップボタン４０Ｌに内蔵されるＬＥＤであり、中操作有効ＬＥＤ１２２Ｃは、中ストップボタン４０Ｃに内蔵されるＬＥＤであり、右操作有効ＬＥＤ１２２Ｒは、右ストップボタン４０Ｒに内蔵されるＬＥＤである。
【００８９】
電源基板２０２あるいはリール中継基板２０３を介して、あるいはこれらの基板を介することなく遊技制御基板２００に配線接続された各種ＬＥＤ及び表示器は、遊技制御基板２００に搭載された制御部２１０によって制御される。また、制御部２１０は、遊技制御基板２００に接続され、または、電源基板２０２あるいはリール中継基板２０３を介して遊技制御基板２００に接続された各種スイッチ及びセンサの検出信号を受け、遊技状態を制御する。
【００９０】
特に、制御部２１０によって制御される「クレジット表示器１０８、ゲーム回数表示器１０９、ペイアウト表示器１１０、リプレイＬＥＤ１１１、スタートＬＥＤ１１２、ウエイトＬＥＤ１１３、投入指示ＬＥＤ１１４、各枚賭けＬＥＤ１１５〜１１７、ボーナス告知ＬＥＤ１２０、左、中、右操作有効ＬＥＤ１２２Ｌ、１２２Ｃ、１２２Ｒ」は、遊技の進行に関わる情報を報知するものであり、それが機能しなければ遊技を行うことに支障が出るような、いわば“必須報知装置”といえる。これらの“必須報知装置”が遊技状態を制御する制御部２１０によって制御されるために、たとえ、演出制御基板２０１が故障したとしても、少なくとも遊技の進行に必要な情報が遊技者に提供される。このため、遊技者に不利な状態で遊技が進行してしまうことを防止できる。
【００９１】
図５を参照して、遊技制御基板２００に設けられた制御部２１０は、制御動作を所定の手順で実行することの出来るＣＰＵ（Ｃｅｎｔｒａｌ　Ｐｒｏｃｅｓｓｉｎｇ　Ｕｎｉｔ）２１１と、ＣＰＵ２１１の制御プログラムを格納するＲＯＭ（Ｒｅａｄ　Ｏｎｌｙ　Ｍｅｍｏｒｙ）２１３と、必要なデータの書き込み及び読み出しが出来るＲＡＭ（Ｒａｎｄｏｍ　Ａｃｃｅｓｓ　Ｍｅｍｏｒｙ）２１２と、ＣＰＵ２１１と外部回路との信号の整合性をとるためのＩ／Ｏポート２１４とを含む。
【００９２】
また、遊技制御基板２００には、電源投入時にＣＰＵ２１１にリセットパルスを与える初期リセット回路２１７と、ＣＰＵ２１１にクロック信号を与えるクロック発生回路２１８と、クロック発生回路２１８からのクロック信号を分周して割込パルスを定期的にＣＰＵ２１１に与えるパルス分周回路（割込パルス発生回路）２１９と、一定範囲の乱数を高速で連続的に発生している乱数発生回路２２１と、乱数発生回路２２１から乱数をサンプリングするサンプリング回路２２２と、バッファ回路２２０とが設けられる。さらに、遊技制御基板２００には、各種スイッチからの信号が入力されるスイッチ回路２１５や、モータ回路２１６、その他、図示しないソレノイド回路等が設けられている。さらに、遊技制御基板２００には、停電時にＲＡＭ２１２の記憶を保持させるためのバックアップ電源２２３が設けられている。ＲＡＭ２１２には、各種表示器（クレジット表示器１０８、ゲーム回数表示器１０９、ペイアウト表示器１１０）に表示するべき情報、賭数、内部当選フラグ、出玉率の設定値など、遊技に必要な情報が記憶され、停電時にこれらの情報がバックアップされるために、停電の回復後に、停電発生前の遊技状態に復帰出来る。
【００９３】
遊技制御基板２００の制御部２１０から演出制御基板２０１へは、バッファ回路２２０を介して後述する各種コマンドが出力される。バッファ回路２２０は、遊技制御基板２００の内部から外部への信号の出力を許容するが遊技制御基板２００の外部から内部へ信号が入力されることを阻止する不可逆性出力手段として機能する。このため、遊技制御基板２００と演出制御基板２０１との間において、遊技制御基板２００から演出制御基板２０１への一方向通信が担保され、コマンドの伝送経路を介して遊技制御基板２００に信号を入力させて不正な制御動作を行わせる不正行為を防止できる。
【００９４】
演出制御基板２０１には、遊技効果ＬＥＤ１３１〜１３３と、液晶表示器１３５と、放音部１２ａ、１２ｂ、１３に内蔵されるスピーカ１３６ａ、１３６ｂ、１３７と、上、中、下段の化粧シート３０３、３３１、３２０を後側から照らす各蛍光灯１３８、１５０ａ〜１５０ｃ、１５１と、演出用ランプ１４０〜１４９と、がぞれぞれ接続され、さらに、リールＬＥＤ中継基板２０４を介してリール５１Ｌ、５１Ｃ、５１Ｒに内蔵されているリールＬＥＤ５５が接続されている。
【００９５】
演出制御基板２０１には、マイクロコンピュータからなる制御部２３０と、各スピーカ１３６ａ、１３６ｂ、１３７から音を出力させるためのスピーカ駆動回路２３５と、液晶表示器１３５を表示制御するための表示駆動回路２３６と、各種ＬＥＤを点灯あるいは点滅させるためのＬＥＤ駆動回路２３７と、バックアップ電源２３８とが搭載されている。
【００９６】
制御部２３０は、ＣＰＵ２３１と、必要なデータの書き込み、及び読み出しが出来るＲＡＭ２３２と、制御プログラムを格納するＲＯＭ２３３と、Ｉ／Ｏポート２３４と、を含む。ＲＡＭ２３２の記憶データはバックアップ電源２３８によりバックアップされているため、制御部２３０は、停電の回復時に停電発生前に記憶されていたデータに基づいて演出制御を再開出来る。
【００９７】
制御部２３０のＲＯＭ２３３には、演出制御基板２０１から送信されたコマンドに対応した演出パターンを定めたデータテーブルが記憶されている。このデータテーブルは、各遊技効果ＬＥＤ１３１〜１３３、液晶表示器１３５、各スピーカ１３６ａ、１３６ｂ、１３７、各蛍光灯１３８、１５０ａ〜１５０ｃ、１５１、各演出用ランプ１４０〜１４９、リールＬＥＤ５５別に分類されている。例えば所定の遊技情報を示すコマンドを受信した場合、制御部２３０はその遊技状態に応じた演出パターンを各データテーブルから読み出し、この読み出した演出パターンに応じて各遊技効果ＬＥＤ１３１〜１３３、液晶表示器１３５、各スピーカ１３６ａ、１３６ｂ、１３７、各蛍光灯１３８、１５０ａ〜１５０ｃ、１５１、各演出用ランプ１４０〜１４９、及びリールＬＥＤ５５等を制御する。
【００９８】
演出制御基板２０１によって制御される「各遊技効果ＬＥＤ１３１〜１３３、液晶表示器１３５、各スピーカ１３６ａ、１３６ｂ、１３７、各蛍光灯１３８、１５０ａ〜１５０ｃ、１５１、各演出用ランプ１４０〜１４９、及びリールＬＥＤ５５」は、遊技制御基板２００によって制御される各種表示器などに比較すると、それが機能しなくても遊技の進行自体には影響を与えるものでなく、演出効果を主眼においた、いわば、“演出装置”と呼べるものである。このため、たとえ、演出制御基板２０１に故障が発生したとしても、遊技者に不利な遊技が提供されてしまうことはないばかりか、制御部２１０の制御の負荷が軽減される。
【００９９】
図５に示されるように、スタートスイッチ１０２の検出信号は、スイッチ回路２１５を介して制御部２１０に入力されるとともに、サンプリング回路２２２に入力される。制御部２１０は、スタートスイッチ１０２の検出信号を受け、モータ回路２１６を介してリール制御信号を出力する。このリール制御信号はリール中継基板２０３を介して各リール５１Ｌ、５１Ｃ、５１Ｒ別に設けられたリールモータ５４Ｌ、５４Ｃ、５４Ｒに入力される。また、リール制御信号は、リール中継基板２０３及び外部出力基板２０５を介してスロットマシン１の外部へ出力される。
【０１００】
これにより、各リール５１Ｌ、５１Ｃ、５１Ｒが変動し始める。また、リール制御信号の伝送経路は、リール中継基板２０３においてリールモータ５４Ｌ、５４Ｃ、５４Ｒ側と外部出力基板２０５側とに分岐されており、外部出力基板２０５側へ出力されたリール制御信号は、外部出力基板２０５からスロットマシン１の外部へも出力される。このように、外部出力基板２０５から出力されるリール制御信号は、外部出力用に加工された信号ではなく、リールモータ５４Ｌ、５４Ｃ、５４Ｒを駆動制御する信号そのものである。
【０１０１】
一方、サンプリング回路２２２は、スタートスイッチ１０２の検出信号が入力されたタイミングで乱数発生回路２２１から１個の乱数をサンプリングし、その乱数をＣＰＵ２１１に引き渡す。ＣＰＵ２１１は、そのサンプリングされた乱数と、ＲＯＭ２１３内に格納されている入賞役別の入賞判定テーブルとを参照して、入賞の発生を許容するか否かを入賞役別に決定し、その決定結果をＲＡＭ２１２に記憶させる。これにより、スタート操作がされたタイミングで、入賞役の当選の有無が決定される。制御部２１０は、その後、入賞役別の当選結果に応じてリールを制御する。
【０１０２】
さらに、制御部２１０は、スタートスイッチ１０２の検出信号が入力されたことに対応して、バッファ回路２２０を介して演出制御基板２０１にゲームの開始を特定可能なコマンドを出力する。演出制御基板２０１の制御部２３０は、そのコマンドに基づいてゲーム状況を把握し、ゲーム開始時に対応して定められた演出パターンに従い各遊技効果ＬＥＤ１３１〜１３３、液晶表示器１３５、スピーカ１３６ａ、１３６ｂ、１３７、蛍光灯１３８、１５０ａ〜１５０ｃ、１５１、リールＬＥＤ５５等を制御する。
【０１０３】
また、各ストップスイッチ１０３Ｌ、１０３Ｃ、１０３Ｒから出力されたストップスイッチ信号は、遊技制御基板２００、リール中継基板２０３、および外部出力基板２０５を往復する信号経路を伝送された後、遊技制御基板２００のスイッチ回路２１５に入力される。さらに、ストップスイッチ１０３Ｌ、１０３Ｃ、１０３Ｒから出力されたストップスイッチ信号は直接、外部出力基板２０５を介して外部に出力されるように構成されている。
【０１０４】
ストップスイッチ信号の入力を受けた制御部２１０は、モータ回路２１６を介してストップスイッチ信号に対応するリールモータ５４Ｌ、５４Ｃ、５４Ｒを停止させるためのリール制御信号を出力する。このリール制御信号は、リールモータ５４Ｌ、５４Ｃ、５４Ｒに入力されるとともに、外部出力基板２０５を介してスロットマシン１の外部へ出力される。
【０１０５】
さらに、制御部２１０は、ストップスイッチ信号が入力されたことに対応して、バッファ回路２２０を介して演出制御基板２０１にリールの停止時期を特定可能なコマンドを各リール５１Ｌ、５１Ｃ、５１Ｒ別に出力する。演出制御基板２０１の制御部２３０は、そのコマンドに基づいてリールの停止時期に対応して定められた演出パターンに従い、遊技効果ＬＥＤ１３１〜１３３や、液晶表示器１３５や、スピーカ１３６ａ、１３６ｂ、１３７、各蛍光灯１３８、１５０ａ〜１５０ｃ、１５１、各演出用ランプ１４０〜１４９等を制御する。
【０１０６】
外部出力基板２０５から出力される信号は、たとえば、第３者機関が型式試験を行う際に利用可能である。この型式試験では、たとえば、各ストップボタン４０Ｌ、４０Ｃ、４０Ｒの操作から１９０ｍｓ以内に各ストップボタン４０Ｌ、４０Ｃ、４０Ｒに対応する各リール５１Ｌ、５１Ｃ、５１Ｒが停止するか否かが確認される。このスロットマシン１の場合、各ストップスイッチ１０３Ｌ、１０３Ｃ、１０３Ｒから出力されたストップスイッチ信号が直接、外部出力基板２０５から出力されるために、各ストップボタン４０Ｌ、４０Ｃ、４０Ｒが操作されたタイミングをスロットマシンの外部で正確に把握できる。同様に、モータ回路２１６から出力されるリール制御信号が直接、外部出力基板２０５から出力されるために、各リール５１Ｌ、５１Ｃ、５１Ｒの始動および停止タイミングをスロットマシンの外部で正確に把握出来る。このため、外部出力基板２０５から出力される信号を用いて、「各ストップボタン４０Ｌ、４０Ｃ、４０Ｒの操作から１９０ｍｓ以内に各ストップボタン４０Ｌ、４０Ｃ、４０Ｒに対応する各リール５１Ｌ、５１Ｃ、５１Ｒが停止するか否かの試験」を行った場合には、正確な試験結果が得られる。また、「遊技制御基板２００の制御部２１０で一旦、信号を取り込んでから外部出力基板２０５に信号を出力するような構成」とした場合には、遊技制御基板２００側で信号を加工して出力するような不正がなされるおそれもあるが、本実施の形態によると、かかる不正行為をも防止できる。
【０１０７】
次に、本実施例におけるスロットマシン１の可変表示装置５０の詳細な構造を、図６〜図１３に基づいて説明する。
【０１０８】
まず図６には、回転式可変表示体としてのリール５１Ｌの取付け構造を示す分解斜視図が示されている。なお、本実施例におけるリール５１Ｌ、５１Ｃ、５１Ｒの取付け構造は全てほぼ同一であるため、図６〜図１３ではリール５１Ｌの取付け構造のみを説明することにより、リール５１Ｃ、５１Ｒの取付け構造の詳細な説明は省略するものとする。
【０１０９】
図６における６００は、リール５１Ｌを回転自在に支持するリールモータ５４Ｌを取り付けるための支持板であり、この支持板６００の上下の取付片６００ａ、６００ｂに形成された孔部６０２内に取り付けたラッチ３７５を介して、図２に示されるリール収納用箱体５２に固定することで、リール５１Ｌをリール収納用箱体５２内に組み付けることが出来るようになっている。
【０１１０】
支持板６００の前方には、前述したリール間隠蔽部材５３が支持板６００に一体的に形成されているとともに、３つのリールＬＥＤ５５が上、中、下段にそれぞれ区画して収容されるＬＥＤユニット６０１が、後述する係止手段を介して着脱自在に取付けられるようになっている。支持板６００の内面６００ｃにおける略中央位置には、リールモータ５４Ｌを固定するためのモータ取付部６１３が形成されている。
【０１１１】
このモータ取付部６１３には、リールモータ５４Ｌの台座６４１の周囲を囲むように保持する四角状の枠条６０７と、リールモータ５４Ｌの取付け位置を決定する駆動モータ位置決め手段としての凸部６０６と、リールモータ５４Ｌを取り付けるための取付けネジ６０３を挿通するための挿通孔６０８と、回転軸６０４の後端との干渉を避けるための穴部６０９が形成されている。
【０１１２】
ここで、リールモータ５４Ｌについて図７〜図９に基づいて説明する。図７に示されるように、リールモータ５４Ｌの本体部６４０の下部には、支持板６００に取り付けるための取付けネジ６０３が螺入されるネジ孔６４２が四隅に形成された台座６４１が設けられており、この台座６４１の裏面における所定箇所には、前述したモータ取付部６１３所定箇所に内向きに突設された凸部６０６に嵌合する嵌合孔部６４３（図８参照）が形成されている。
【０１１３】
リールモータ５４Ｌは、この嵌合孔部６４３内に凸部６０６が嵌合されるように、台座６４１を枠条６０７内にはめ込んだ状態で、支持板６００の外面側から挿通孔６０８内に挿通した取付けネジ６０３をネジ孔６４２内に螺入することで、支持板６００の内面６００ｃに取り付けられるようになっている。支持板６００の内面６００ｃに形成された凸部６０６と台座６４１の裏面に形成された嵌合孔部６４３とによりリールモータ５４Ｌの位置決め手段が構成されているため、リールモータ５４Ｌを正確な位置に取り付けることが出来る。
【０１１４】
リールモータ５４Ｌの本体部６４０における回転軸６０４側の端面部には、リールセンサ５６Ｌを設けるための取付板６０５が取り付けられている。取付板６０５は、図７、図８に示されるように、一方の端部に切欠部６４４が形成されており、特に図８（ａ）に示されるように、リールモータ５４Ｌの回転軸６０４の側方から差し込むことが出来るようになっているとともに、切欠部６４４の周囲には、本体部６４０の上部端面に形成された図示しないネジ孔内に螺合する取付けネジ６４５を挿通するための取付部としての挿通孔６４６が４箇所形成されている。
【０１１５】
切欠部６４４の反対側端部近傍には、リールセンサ５６Ｌを取り付けるための開口６４７ａ、６４７ｂが形成されているとともに、その近傍にはリールセンサ５６Ｌから延出されるケーブルを挿通するための挿通孔６４８が形成されている。なお、６４９はケーブルを押さえるための押さえ片である。
【０１１６】
リールセンサ５６Ｌは、特に図１３（ｂ）に示されるように、本体部６５０の上部に透光部５６Ｌａ及び受光部５６Ｌｂが設けられるとともに、本体部６５０の下面四隅からは脚片６５１、６５２がそれぞれ下向きに連設されている。脚片６５１、６５２はそれぞれ合成樹脂材により弾性変形自在に形成されており、脚片６５１の先端には開口６４７ａ周縁部に係止される係止爪６５１ａが形成されているとともに、脚片６５２の先端には開口６４７ｂ周縁部に係止される係止爪６５２ａが形成されており、リールセンサ５６Ｌを取付板６０５の上方から下降させることによりそれぞれの脚片６５１、６５２が弾性変形して係止爪６５１ａ、６５２ａが開口６４７ａ、６４７ｂそれぞれの周縁部に係止され、脚片６５１、６５２の弾性復帰力によって取付板６０５に取り付けられるようになっている。なお、係止爪６５１ａ、６５２ａはそれぞれ異なる向きに形成されているので、前後左右方向のずれが効果的に防止されている。
【０１１７】
図７に戻って、リールモータ５４Ｌの本体部６４０から突出した回転軸６０４の先端には、リール５１Ｌを相対回動不能に固定するための円盤状の回転板６１０（回動板）が固定されている。この回転板６１０は、材質が亜鉛ダイキャストからなり、その中心に回転軸６０４とほぼ同径をなす貫通路６１１が形成される円板部６１０ａと、円板部６１０ａの外周端縁から環状に連設される環状片６１０ｂとから構成されている。
【０１１８】
円板部６１０ａにおけるリールモータ５４Ｌの反対側面には、リール５１Ｌを固定するための固定ネジ６１４が螺合するネジ孔６１５が、円板部６１０ａの中心部を中心とする同心円上に４箇所形成されているとともに、リール５１Ｌを固定する際の位置決め手段となる位置決めピン６１６ａ、６１６ｂが、円板６１０ａの中心部を挟んで対向するように、かつ、前記中心部からの距離がそれぞれ異なる位置に突設されている。
【０１１９】
円板部６１０ａの周縁部近傍には大径穴６５３が８つ、その内側には小径穴６５４が４つ形成されている。これら複数の穴が形成されていることにより、金属材からなる回転板６１０が軽量となってリールモータ５４Ｌの駆動負担が軽減されるとともに、製造コストを低減出来る。また、リールモータ５４Ｌにて発生した熱が効果的に放熱されるようになっている。なお、これら穴のうち、４つの小径穴６５４は、図８（ａ）に示されるように、回転板６１０を所定の向きで停止させた際に、取付板６０５をリールモータ５４Ｌの本体部６４０に取り付けるための取付部（取付けネジ６４５）の直上に位置するようになっているため、回転軸６０４に回転板６１０が取り付けられた状態にあっても、ドライバー等を挿通してその下方の取付けネジ６４５の取付け、取り外しを目視にて確認しながら行うことが出来るため、取付板６０５、ひいてはリールセンサ５６Ｌのリールモータ５４Ｌに対する着脱を、回転板６１０が回転軸６０４に固定された状態でも容易に行うことが出来る。
【０１２０】
このように構成される回転板６１０は、工場からの出荷時において予め貫通路６１１内に回転軸６０４を圧入することにより回転軸６０４に対して相対回転不能に固定されている。そして回転軸６０４に固定された状態において、特に図７及び図１３に示されるように、環状片６１０ｂの一部がリールセンサ５６Ｌにおける投光部５６Ｌａと受光部５６Ｌｂとの間に位置するようになっており、環状片６１０ｂの所定箇所に形成された回転基準位置検出部を構成する切欠部６１７が投光部５６Ｌａと受光部５６Ｌｂとの間を通過することにより、回転板６１０、すなわち、リール５１Ｌの回転基準位置が検出されるようになっている。
【０１２１】
なお、回転軸６０４とリール５１Ｌとが確実に相対回転不能に固定されていないと、リール５１Ｌの周面に配置される図柄の停止位置ずれ等が発生することがあるため、本実施例においては、リール５１Ｌを固定するための回転板６１０を回転軸６０４に対して圧入することにより回転軸６０４と回転板６１０とを相対回転不能に固定しているが、例えば回転軸６０４とリール５１Ｌとの相対回転を不能に固定するために、予め回転軸６０４と回転板６１０とを一体成形により構成してもよい。
【０１２２】
また、本実施例においては、回転板６１０を貫通路６１１内への回転軸６０４の取付けは、リールモータ５４Ｌを励磁させた状態で行われている。これは、リール５１Ｌの回転基準位置検出部である切欠部６１７が回転板６１０に形成されているためである。詳しく説明すると、本実施例におけるリールモータ５４Ｌはステッピングモータであるため、回転板６１０を回転軸６０４へ固定する際において、リールモータ５４Ｌの回転軸６０４が励磁された状態における所定の停止位置（ステップ数に応じた停止位置）から若干ずれた位置にて停止されている状態で回転板６１０が取り付けられると、このような固定位置の微量のずれにより、リールモータ５１Ｌを駆動させてリール５１Ｌを回転させた際において、リールセンサ５６Ｌによる切欠部６１７の検出位置に若干のずれが発生して、リール５１Ｌの回転基準位置を正確に検出出来なくなることがあるからである。
【０１２３】
なお、本実施例におけるリールモータ５４Ｌは、４相のステッピングモータが使用されており、１相励磁の時に２００ステップであるのを１−２相励磁方式にて使用することで、プログラム上では４００ステップとなってスムーズに回転するようになっている。前述したように、本実施例における図柄は各リールシート６５５に２０個ずつ配置されているので、図柄の配置数に対してモータのステップ数が整数倍とされていることから、１図柄に対応するステップ数が均等に割り振られている（本実施例では１図柄に対して２０ステップ）。よって、図柄の停止位置のずれ等が効果的に防止されるため、例えば複数のリール５１Ｌ、５１Ｃ、５１Ｒが図２に示されるように並設された状態において、各リール５１Ｌ、５１Ｃ、５１Ｒの図柄を整列状態で停止させることが出来る。
【０１２４】
また、この励磁方式による基本励磁パターンは、図９の励磁制御タイミングチャートに示されるように４ステップからなっており、この基本励磁パターンが繰り返されることにより回転軸６０４を回転させるようになっている。前述した切欠部６１７の検出方向の幅寸法Ｐは（図７参照）、この基本励磁パターン分に相当するステップ数である４ステップ分に相当する幅寸法に形成されているため、回転基準位置の検出を、リールセンサ５６Ｌによる切欠部６１７の検出と基本励磁パターンとで行う場合にも対応して使用することも可能である。
【０１２５】
図６に戻って、リール５１Ｒは、識別情報としての複数種の図柄が外方から視認可能となるように印刷等により配置された帯状のリールシート６５５と、このリールシート６５５の両端縁部をそれぞれ環状に保持する互いに別個に形成される回動式可変表示体としての一対の保持枠６５６、６５７（図１３参照）とから構成されている。なお、本実施例におけるリールシート６５５は、厚さが約０．５ｍｍのＰＥＴ樹脂材により薄肉の帯状に成形されており、また、保持枠６５６、６５７は、ＡＢＳ樹脂材により成形されているがこれら材質は特に限定されるものではない。
【０１２６】
保持枠６５６は、リールシート６５５の一端縁部が外周面に貼着される環状片６５８と、回転軸６０４に対して回転不能に固定された回転板６１０に固定するための固定部を構成する円板状の固定板６５９と、この固定板６５９と環状片６５８とを連結するように放射線状に設けられる複数のスポーク片６６０と、から、リールモータ５４Ｌに固定するための駆動保持枠として構成されている。なお、本実施例においては、これら固定板６５９、スポーク片６６０、環状片６５８を主にそれぞれ厚さ約１〜１．５ｍｍの薄肉の板材にて全体を枠状に形成するとともに、要所に補強用のリブを形成することで軽量化が図られている。
【０１２７】
固定板６５９の中心には、回転軸６０４が嵌合される嵌合穴６６１が形成されているとともに、その周囲には、固定ネジ６１４の挿通孔６６２、及び位置決めピン６１６ａ、６１６ｂが挿通される挿通長穴６３０ａ、６３０ｂが形成されている。この挿通長穴６３０ａ、６３０ｂは、回転軸受け６０６に突設された位置決めピン６１６ａ、６１６ｂにそれぞれ対応する箇所に形成されている。これら回動式可変表示体位置決め手段を構成する挿通長穴６３０ａ、６３０ｂ（位置決めピン６１６ａ、６１６ｂ）は、図８（ａ）に示されるように固定板６５９の中心Ｏからそれぞれの挿通長穴６３０ａ、６３０ｂまでの距離が異なる位置に形成されている（Ｐ２＞Ｐ３）。これにより円形の保持枠６５６を回転板６１０に対して常に所定の向きで取り付けることが出来るようになっている。
【０１２８】
また、固定板６５９と環状片６５８とが複数のスポーク片６６０により連結されていることにより保持枠６５６の軽量化が図られているとともに、各スポーク片６６０は、固定板６５９から環状片６５８側に向かうに従い先細りとなるように形成されているため、回転軸６０４の固定部となる固定板６５９側の強度が高く、かつ、保持枠６５６の外周付近が軽量化されて、保持枠６５６の回転時における慣性モーメントが極力小さくなるように形成されている。
【０１２９】
環状片６５８は、図１３（ａ）に示されるように、断面略Ｔ字状に形成されており、その外周面には、リールシート６５５における幅方向の一端縁部裏面が高粘着性の両面テープ材等を介して貼着されている。また、環状片６５８の一側面所定箇所には、図６に示されるように、リールシート６５５の貼着基準位置を示す基準位置表示部としての基準マークＭが設けられており、リールシート６５５を保持枠６５６、６５７に貼着する際において、この基準マークＭにリールシート６５５の長手方向の一端部を合わせることで、保持枠６５６、６５７に対してリールシート６５５を常に一定の位置から貼着することが出来るようになっている。よって、この基準マークＭの位置がリールシート６５５の継ぎ目となる。
【０１３０】
他方の保持枠６５７は、図１３（ａ）に示されるように、断面が略Ｔ字状をなすとともに、環状に形成されるＡＢＳ樹脂材のみからなり、その外周面には、リールシート６５５における幅方向の一端縁部裏面が高粘着性の両面テープ材等を介して貼着されている。
【０１３１】
このように本実施例におけるリール５１Ｌ、５１Ｃ、５１Ｒは複数種の図柄が表面に複数配置された帯状のリールシート６５５と、該リールシート６５５の両端縁部を環状に保持する一対の保持枠６５６、６５７と、からなり、リールシート６５５の両端縁部を、それぞれの枠状の保持枠６５６、６５７の外周面に両面テープ材等によりそれぞれ貼着することにより一体化されて、回動式可変表示体を構成している。
【０１３２】
図６中の６６３は、固定ネジ６１４の頭部によるＡＢＳ樹脂製の固定板６５９の損傷を保護するために装着される保護板であり、その中心には回転軸６０４の挿通穴６６４が形成されているとともに、挿通穴６６４の周囲には、固定ネジ６１４の挿通孔６６５が複数形成されている。
【０１３３】
このように構成されたリール５１Ｌとリールモータ５４Ｌとの固定方法を図６及び図１３に基づいて説明する。
【０１３４】
リール５１Ｌをリールモータ５４Ｌに取り付ける場合、回転軸６０４に予め固定された回転板６１０に、保持枠６５６の固定板６５９を取り付ける。詳しくは、固定板６５９の嵌合穴６６１内に回転板６１０から突出された回転軸６０４を嵌合するとともに、挿通長穴６３０ａ内に位置決めピン６１６ａを、かつ、挿通長穴６３０ｂ内に位置決めピン６１６ｂを挿通させるようにして回転板６１０に固定板６５９を当接させる。
【０１３５】
この状態で、保護板６６３の挿通穴６６４内に固定板６５９から突出した回転軸６０４を挿通させ、かつ、保護板６６３の各挿通孔６６５を固定板６５９の各挿通孔６６２に合致させた後、保護板６６３側から固定ネジ６１４を各挿通孔６６５、６６２内に挿通し、回転板６１０のネジ孔６１５内にそれぞれ螺入する。これにより、回転板６１０と固定板６５９とは、複数の固定ネジ６１４による取付け作用と、位置決め手段としての凸部６１６ａ、６１６ｂ及び挿通長穴６３０ａ、６３０ｂによる嵌合作用によって回動不能に固定される。よって、リール５１Ｌは保持枠６５６を介して回転板６１０、ひいてはリールモータ５４Ｌの回転軸６０４に対して相対回動不能に固定される。
【０１３６】
以上説明したように、本実施例におけるリール５１Ｌ（５１Ｃ、５１Ｒ）の回動基準位置を検出するための回動基準位置検出部である切欠部６１７が、リール５１Ｌを回転軸６０４に固定するための回転板６１０自体に形成されていることにより、リール５１Ｌの成型精度や回転軸６０４に対する取付け精度に影響されることなく、かつ、リール５１Ｌの回動に応じた回動基準位置の検出が行われるため、回転軸６０４の回転とリール５１Ｌの回転とのずれによる図柄の停止位置のずれが効果的に防止される。
【０１３７】
また、回動基準位置検出手段としてのリールセンサ５６Ｌは、リールモータ５６Ｌに対して着脱自在な取付板６０５に取り付けられているため、リールセンサ５６Ｌが故障した場合等において交換作業を容易に行うことが出来るばかりか、例えば後述するベルト式可変表示装置（図１６参照）のように、図柄が配置される可変表示部材の回動基準位置の検出を行う回動基準位置検出手段としてのセンサ等を駆動モータに設けない場合等、用途に応じてリールセンサ５６Ｌをリールモータ５４Ｌに取り付けるか否かを選択することが出来るので、リールセンサ５６Ｌが不要な場合において無駄な製造コストをかけずに済む。
【０１３８】
また、回転板６１０に形成された小径穴６５４を取付けネジ６４５の直上に位置させることで、回転板６１０の上方から取付けネジ６４５をドライバー等で取り付けたり取り外すことが出来るようになっているので、回転軸６０４に回転板６１０が固定された状態でも、取付板６０５をリールモータ５４Ｌの本体部６４０に対して着脱することが出来るため、リールモータ５４Ｌだけの製造が可能となる。
【０１３９】
また、回動基準位置検出部としての切欠部６１７を、回転板６１０における外周縁部の環状片６１０ｂの所定箇所に形成することで、環状片６１０ｂの内側における回転軸６０４の近傍に切欠部６１７を設ける場合よりも、回転軸６０４の１ステップに対応する移動距離が長くなり、これにより回転基準位置の検出誤差の許容範囲を大きくとれることになるので、リールセンサ５６Ｌによる検出精度が高まることが好ましいが、回転軸６０４からの距離が長くなり過ぎると、切欠部６１７が大きくなって回転板６１０の強度が低下したり、回転板６１０の回動時に生じるぶれ等の要因により検出精度が低下しやすくなるため、切欠部６１７は回転軸６０４から適宜距離離間した位置に形成することが好ましい。
【０１４０】
次に、このように支持板６００に回動自在に取り付けられるリール５１Ｌにおける前述した可変表示部に対応する領域、すなわち、透視窓１４を通して遊技者が図柄を視認可能となる視認領域を後面側から個別に照射可能な照射手段としての複数のリールＬＥＤ５５が設けられる照明ユニットとしてのＬＥＤユニット６０１の詳細を図７及び図１０〜図１２に基づいて説明する。
【０１４１】
ＬＥＤユニット６０１は、特に図１０に示されるように、照射手段としてのリールＬＥＤ５５が配置される本体部６７０と、本体部６７０を支持板６００に取り付けるための取付部６７１とから主に構成されている。本体部６７０の前部には、図７に示されるように、それぞれ前方に開口するとともに、上・中・下段それぞれに区画された区画室６７２ａ、６７２ｂ、６７２ｃが形成されている。これら区画室６７２ａ、６７２ｂ、６７２ｃそれぞれの後壁には、後方に設けられるＬＥＤ基板６７３の前面における上・中・下段にそれぞれ２つずつ取り付けられたリールＬＥＤ５５を前方に前方に臨ませるための横長の長穴６７４ａ、６７４ｂ、６７４ｃがそれぞれ形成されている。
【０１４２】
本体部６７０の上端部には、先端に下向きの係止爪６７５ａが形成された弾性変形自在な係止片６７５が後向きに形成されているとともに、下端部には、先端に上向きの係止爪６６６ａが形成された弾性変形自在な係止片６６６が後向きに形成されており、これら上下の係止片６７５、６６６の係止爪６７５ａ、６６６ａにＬＥＤ基板６７３の上下端部を係止させることでＬＥＤ基板６７３を本体部６７０の後側に設けることが出来るようになっている。
【０１４３】
ＬＥＤ基板６７３が本体部６７０の後側に設けられることにより、各区画室６７２ａ、６７２ｂ、６７２ｃ内にリールＬＥＤ５５が横並びに２つずつ配置される。各リールＬＥＤ５５は、それぞれ前後方向を向くように配置されるため、その前方に設けられるリールシート６５５の後面側が均等に照射される。
【０１４４】
本体部６７０における中央の区画室６７２ｂの側壁には、前面に上下方向を向く係合凹溝６７８が形成された突出部材６７９が、側方に向けて突設されている。
【０１４５】
また、取付部６７１は、本体部６７０の側方に前後方向を向くように形成されており、この取付部６７１の上端部には、側面視略上向きコ字状の係合片６７６が形成されているとともに、取付部６７１の下端部には、側面視略下向きコ字状の係合片６７７が形成されている。係合片６７６は、前片６７６ａと後片６７６ｂとを有しており、前片６７６ａと後片６７６ｂとは所定間隔離間して前後に形成されている。また、係合片６７７は、前片６７７ａと後片６７７ｂとを有しており、前片６７７ａと後片６７７ｂとは所定間隔離間して前後に形成されている。
【０１４６】
一方、支持板６００の開口部６８０は、本体部６７０を挿通可能な大きさに形成されており、その上端部には、幅寸法が前片６７６ａと後片６７６ｂとの間の隙間よりも小寸な下向きＬ字状の係合片６８１が形成されているとともに、下端部には、幅寸法が前片６７７ａと後片６７７ｂとの間の隙間よりも小寸な下向きＬ字状の係合片６８２が形成されている。また、後端部には、先端に外面６００ｄ側に突出する係止爪６８３ａが形成された弾性変形自在な係止片６８３が形成されている。
【０１４７】
なお、図１２に示されるように、支持板６００の所定箇所には、軽量化のための複数の穴部６８５が形成されている。また、内面６００ｃの後方には、リールモータ５４Ｌ及びリールセンサ５６Ｌから延設されるケーブルが接続されるとともに、これらケーブルをリール収容箱体５２に設けられるリール中継基板２０３に接続するためのコネクタ６８６を有するリール用中継基板６８７と、リールＬＥＤ５５から延設されるケーブルが接続されるとともに、これらケーブルをリール収容箱体５２に設けられるリールＬＥＤ中継基板２０４に接続するためのコネクタ６８８を有するリールＬＥＤ用中継基板６８９が取り付けられており、これらコネクタ６８６、６８８は、支持板６００をリール収容箱体５２内に組み付けた際にそれぞれの基板に設けられたコネクタに接続できるようになっている。
【０１４８】
このように構成されたＬＥＤユニット６０１は、図１０中矢印で示されるように、支持板６００の外面６００ｄ側、すなわち、リール５１Ｌの配置位置側と反対側から、前方に形成された開口部６８０内に本体部６７０を挿通することにより支持板６００の内面６００ｃ側、すなわち、リール５１Ｌの配置位置側に配置出来るようになっている。
【０１４９】
ここで支持板６００にＬＥＤユニット６０１を取り付ける場合を説明すると、まず図１０に示されるように、ＬＥＤ基板６７３が取り付けられたＬＥＤユニット６０１の本体部６７０を、支持板６００の外面６００ｄ側から開口部６８０内に挿通する。次いで、図１１（ａ）に示されるように、本体部６７０を開口部６８０内における後側に位置させ、上下の前片６７６ａ、６７７ａと後片６７６ｂ、６７７ｂとの間の隙間に係合片６８１、６８２を挿通させる。このとき、上下の前片６７６ａ、６７７ａと後片６７６ｂ、６７７ｂ、及び取付部６７１の後部が支持板６００の外面６００ｄに当接してそれ以上の挿通が規制される。
【０１５０】
この状態から、図１１（ａ）中矢印方向、すなわち、前方に向けてＬＥＤユニット６０１をスライド移動させると、図１１（ｂ）に示されるように、係合片６８１に後片６７６ｂが、また、係合片６８２に後片６７６ｂが係合して取付部６７１の支持板６００からの離脱が規制される。そして、突出部材６７９の前面に形成された係合凹溝６７８内に開口部６８０の湾曲状の前方端縁部が嵌合して前方移動が規制されるとともに、取付部６７１の後端部に係止爪６８３ａが弾性復帰力により係止され、後方移動も規制される。
【０１５１】
このようにＬＥＤユニット６０１は、これら係合片６７６、６７７／係合片６８１、６８２、係合凹溝６７８／開口部６８０の前端縁、係止爪６８３ａと取付部６７１の後端部、による係止作用によって、支持板６００に対して取り付け出来るようになっている。よって、ＬＥＤユニット６０１を支持板６００から取り外す場合は、係止片６８３を外面６００ｄ側から内向きに押し込んだ状態でＬＥＤユニット６０１を後退させ、上下の前片６７６ａ、６７７ａと後片６７６ｂ、６７７ｂとの間の隙間に係合片６８１、６８２が位置させれば、支持板６００の内面６００ｃ（図１１中裏面側）側に配置されていた本体部６７０を、外面６００ｄ側に容易に引き出して取り外すことが出来る。
【０１５２】
このようにＬＥＤユニット６０１は、弾性変形自在な係止爪等の係止手段（係合片６７６、６７７／係合片６８１、６８２、係合凹溝６７８／開口部６８０の前端縁、係止爪６８３ａと取付部６７１の後端部）を介して支持板６００に対して着脱自在に取り付けられているため、ＬＥＤユニット６０１の支持板６００からの着脱を、ドライバー等によりネジ固定などをすることなく、手作業で容易に行うことが出来るため、着脱作業を容易に行うことが出来る。
【０１５３】
また、図１０及び図１２に示されるように、ＬＥＤユニット６０１の本体部６７０は、リール５１Ｌのリールシート６５５の後面をリールＬＥＤ５５にて後方から照射できるように、支持板６００の内面６００ｃ側であるリール５１Ｌの内部に配置されるため、前方の図柄を後方から均一に照射することが出来る。また、リールＬＥＤ５５は各区画室６７２ａ、６７２ｂ、６７２ｃ内に配置されるため、前方の上・中・下段にそれぞれ停止される図柄をそれぞれ個別に照射することが出来るばかりか、各区画室６７２ａ、６７２ｂ、６７２ｃを全体的に均一に明るく照射することが出来るため、演出効果が向上する。
【０１５４】
また、ＬＥＤユニット６０１の本体部６７０は、支持板６００に形成された開口部６８０を介して、リール５１Ｌの回動軸心方向に向けて抜き差し出来るようになっているとともに、係止爪６８３ａが外面６００ｄ側に設けられており、支持板６００の外面６００ｄ側にて前述した係止手段の係止及び解除作業を行うことで着脱出来るため、リール５１Ｌが支持板６００に回動自在に設けられている状態においても、リール５１Ｌを支持板６００から取り外したりすることなく、かつ、支持板６００におけるリール５１Ｌの配置位置の反対側から、配置されたリール５１Ｌに干渉することなく、開口部６８０を介して容易に着脱してリールＬＥＤ５５を交換することが出来る。
【０１５５】
また、リールＬＥＤ５５が配置されるＬＥＤユニット６０１ごと支持板６００に対して着脱させることが出来、リールＬＥＤ５５をリールシート６５５の回動軸心方向に向けて横向きに配置しなくても済むため、リールＬＥＤ５５を前後方向に向けて配置したり、各区画室６７２ａ、６７２ｂ、６７２ｃ内に複数のリールＬＥＤ５５をそれぞれ配置しても、これらを交換する際にはＬＥＤユニット６０１ごと支持板６００から取外し、新規なリールＬＥＤ５５に交換した状態でリール５１Ｌ内に配置することが出来る。
【０１５６】
さらに、このようにリールＬＥＤ５５の交換作業を考慮せずに配置位置や数量等を任意に変更することが可能となり、図柄全体を極力均等に照射出来るようになるので、照射性が効果的に向上する。
【０１５７】
このように、リールモータ５４Ｌ、リール５１Ｌ、ＬＥＤユニット６０１が設けられた支持板６００は、図２に示されるように、リール収納箱体５２内に横並び状態で組み込まれる。そして特に図１３に示されるように、互いに所定距離離間するように隣り合って配置される各リール５１Ｌ、５１Ｃ、５１Ｒ間には、各支持板６００の前方に一体的に形成されたリール間隠蔽部材５３が配置される。詳しくは、図１３（ｃ）に示されるように、リール間隠蔽部材５３は、その幅方向の端部とリールシート６５５の端部とが互いに所定幅分重なり合うように（要部拡大図参照）、互いに隣り合うそれぞれのリールのリールシート６５５の裏面側端部まで張り出すように設けられるているため、リールシート６５５の表面における遊技者からの視認領域を狭めることなくリール５１Ｌ、５１Ｃ、５１Ｒ間を隠蔽することが出来る。よって、各リールシート６５５の表面を、幅方向に広く見せることが出来るため、リールシート６５５の表面に配置される図柄等を大きくするなどして視認性を高める等の自由度が向上するばかりか、リール隠蔽部材５３が可変表示部内に大きく露呈して可変表示部の外観体裁が損なわれることを防止出来る。
【０１５８】
このように構成された本発明の実施例としての可変表示装置５０は、図１４に示される遊技機の他の一例であるパチンコ球を使用して遊技を行うことが可能なパチンコ機７００にも適用可能である。
【０１５９】
パチンコ機７００の構成を簡略に説明すると、図１４に示されるように、このパチンコ機７００には、前面に可変表示装置７０３の可変表示部７０３ａや通常入賞口７０４、始動入賞口７０５、特別入賞口７０６等が設けられた遊技領域７０７が形成されている。尚、図中７０１は、遊技状態に応じて効果音を出音するスピーカであり、７０２は、遊技状態に応じて点灯または点滅する遊技効果ランプである。
【０１６０】
このパチンコ機７００では、打球操作ハンドル７０８を操作することで、遊技領域７０７にパチンコ球が発射されるようになっており、これら遊技領域７０７内に発射されたパチンコ球が、各入賞口に入賞し、対応する検出スイッチに検出されることで所定数のパチンコ球が払い出されるようになっている。尚、入賞しなかったパチンコ球はアウト球として回収される。また、特に始動入賞口７０５に入賞した場合には、可変表示装置７０３の可変表示が開始され、特定の大当り図柄が揃うことで、特別入賞口７０６が開放して多くのパチンコ球の払出を受けることができる大当り状態が発生可能とされている。
【０１６１】
このようなパチンコ機７００に適用された可変表示装置７０３は、特に詳細な説明はしないが前述した可変表示装置５０とほぼ同様に構成されているため、パチンコ機７００にて適用した場合においても、前述した可変表示装置５０と同様の作用・効果が得られる。
【０１６２】
また、本発明の実施例としての可変表示装置５０は、前述したように１ゲームに対して遊技媒体であるメダルにて賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシン１のような、いわゆるメダル式スロットマシン以外にも、図１５に示されるように、１ゲームに対して遊技媒体として遊技球であるパチンコ球にて賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能な遊技球を用いたスロットマシン８００にも適用可能である。
【０１６３】
このようなスロットマシン８００においては、スロットマシン８００の側方に並設されたカードユニット８０１に予め所定の有価価値の大きさが記憶されたプリペイドカードなどを差し込み、前面扉８０２の前面に形成された貸出ボタン８０３を押圧操作することにより借り受けた遊技媒体であるパチンコ球が、同じく前面扉８０２に形成された上皿８０４に払い出されるようになっているとともに、ＢＥＴボタン８０５を操作することにより所定数のパチンコ球が取り込まれて賭数が設定されるようになっている。また、前面扉８０２に形成された透視窓８０６に図柄が可変表示されるように内部に設けられた可変表示装置８０７は、前述した可変表示装置５０とほぼ同様に構成されており、前述した可変表示装置５０と同様の作用・効果が得られる。
【０１６４】
また、図１６には、駆動モータの駆動により駆動するとともに、複数種の識別情報が配置された可変表示部材を回動させる回動式可変表示体を有する可変表示装置の変形例が示されている。
【０１６５】
前述した可変表示装置５０（７０３、８０７）は、複数種の図柄が配置された可変表示部材であるリールシート６５５が、リールモータ５４Ｌの駆動により回動する回動式可変表示体である保持枠６５６（６５７）の周面に巻装されており、保持枠６５６（６５７）が回動することにより、その周面に巻装されたリールシート６５５が回動し、図柄が可変表示するリール５１Ｌを有していたが、本発明はこれに限定されるものではなく、図１６に示される可変表示装置９００のように、複数種の図柄が配置された可変表示部材であるベルト９０１が、側方に設けられる支持板９０２に回動自在に支持された回動式可変表示体としての駆動回転体９０３及び複数の従動回転体９０４に無端状に掛け渡されており、駆動モータ９０５の駆動により駆動回転体９０３が回転することによりベルト９０１が回転して図柄が可変表示されるようなベルト式可変表示装置９００も本発明の可変表示装置に含まれる。
【０１６６】
なお、このようなベルト式可変表示装置９００においても、ベルト９０１が掛け渡された状態において照明ユニット９０６を支持板９０２に形成された開口部（図示略）等を介して、支持板９０２におけるベルト９０１の配置位置の反対側の側方（外面側）から着脱できるように設けることも可能である。
【０１６７】
また、このようなベルト式可変表示装置９００においては、ベルト９０１の回転基準位置を検出するための回動基準位置検出手段としてのベルトセンサ９０７は支持板９０２に取り付けられ、駆動回転体９０３が整数回転（例えば２回転）することでベルト９０１の所定箇所に設けられた回動基準位置検出部であるマーク（図示せず）等がベルトセンサ９０７により検出されるようになっている。なお、図中９０８は駆動回転体９０３を固定するための回転板である。
【０１６８】
このように、駆動回転体９０３が整数回転する毎にベルトセンサ９０７による回動基準位置の検出が行われるようにすることで、前述したような基本励磁パターンに基づく回転基準位置の検出制御等を容易に行うことが出来る。
【０１６９】
よって、前述した可変表示装置５０のリールセンサ５６Ｌのように、リールセンサ５６Ｌがリールモータ５４Ｌの本体部に着脱自在に取り付けられていることにより、リール式可変表示装置５０に適用した駆動モータをこのようなベルト式可変表示装置９００に適用するのにリールセンサ５６Ｌが不要となった場合においても対応することが出来る。すなわち、駆動モータの製造時において回動基準位置検出手段の有無を選択できることから、無駄な製造コストをかけないで済む。
【０１７０】
前記各実施例における各要素は、本発明に対して以下のように対応している。
【０１７１】
本発明の請求項１は、所定の価値（メダル、パチンコ球）を用いて遊技を実施可能であり、該遊技の結果に基づいて所定の遊技価値（メダル、パチンコ球、ビッグボーナス、大当り）を付与することが可能であり、駆動モータ（リールモータ５４Ｌ、９０５）の駆動により駆動するとともに、複数種の識別情報（図柄）が配置された可変表示部材（リールシート６５５、ベルト９０１）を回動させる回動式可変表示体（保持枠６５６／６５７、駆動回転体９０３）を有する可変表示装置（５０、７０３、８０７、９００）を備える遊技機（スロットマシン１、８００、パチンコ機７００）において、
前記駆動モータの本体部（６４０）から突出した駆動軸（回転軸６０４、９０７）には、前記回動式可変表示体を前記駆動軸に固定するための回動板（６１０、９０８）が相対回動不能に固定されているとともに、該回動板の所定箇所には、前記回動式可変表示体の回動基準位置を検出するための回動基準位置検出手段（リールセンサ５６Ｌ、５６Ｃ、５６Ｒ、ベルトセンサ９０７）により検出される回動基準位置検出部（切欠部６１７）が設けられている。
【０１７２】
本発明の請求項２は、前記回動板（６１０、９０８）は、前記駆動軸（回転軸６０４、９０７）に圧入されている。
【０１７３】
本発明の請求項３は、前記回動基準位置検出手段（リールセンサ５６Ｌ、５６Ｃ、５６Ｒ、ベルトセンサ９０７）は、前記駆動モータ（リールモータ５４Ｌ、９０５）に対して着脱自在に取り付けられている。
【０１７４】
本発明の請求項４は、前記回動基準位置検出手段（リールセンサ５６Ｌ、５６Ｃ、５６Ｒ、ベルトセンサ９０７）は、前記回動板（６１０、９０８）が前記駆動軸（回転軸６０４、９０７）に相対回動不能に固定されている状態で前記駆動モータ（リールモータ５４Ｌ、９０５）に着脱自在である。
【０１７５】
本発明の請求項５は、前記回動板（６１０、９０８）には穴部（大径穴６５３、小径穴６５４）が形成されている。
【０１７６】
本発明の請求項６は、前記回動基準位置検出手段（リールセンサ５６Ｌ、５６Ｃ、５６Ｒ）は、取付板（６０５）を介して前記駆動モータ（リールモータ５４Ｌ）に取り付けられており、前記取付板における前記駆動モータの本体部（６４０）との取付部（挿通孔６４６／取付けネジ６４５）と前記穴部（小径穴６５４）とが対応するように構成されている。
【０１７７】
本発明の請求項７は、前記回動板（６１０、９０８）と前記回動式可変表示体（保持枠６５６／６５７、駆動回転体９０３）との対向面には、前記回動板に対する前記回動式可変表示体の固定位置を決定する回動式可変表示体位置決め手段（位置決めピン６１６ａ、６１６ｂ／挿通長穴６３０ａ、６３０ｂ）が設けられている。
【０１７８】
本発明の請求項８は、前記駆動モータ（リールモータ５４Ｌ、９０５）はステッピングモータであり、前記回動基準位置検出部（切欠部６１７）の検出方向の幅寸法は、前記ステッピングモータの基本励磁パターン分のステップ数に相当する。
【０１７９】
本発明の請求項９は、前記回動基準位置検出部（切欠部６１７）は、前記回動板（６１０、９０８）の周縁部所定箇所に形成されている。
【０１８０】
本発明の請求項１０は、前記駆動モータ（リールモータ５４Ｌ、９０５）の本体部（６４０）と該駆動モータを取り付けるための支持板（６００、９０２）との対向面には、前記支持板に対する前記駆動モータの取付け位置を決定する駆動モータ位置決め手段（凸部６０６／嵌合孔部６４３）が設けられている。
【０１８１】
本発明の請求項１１は、前記駆動モータ（リールモータ５４Ｌ、９０５）はステッピングモータであり、該ステッピングモータのステップ数は、前記識別情報（図柄）の配置数の整数倍である。
【０１８２】
本発明の請求項１２は、前記回動板（６１０、９０８）は、金属材により構成されている。
【０１８３】
以上、本発明の実施例を図面により説明してきたが、具体的な構成はこれら実施例に限られるものではなく、本発明の要旨を逸脱しない範囲における変更や追加があっても本発明に含まれる。
【０１８４】
例えば、上記実施例においては、回転板６１０に形成される回動基準位置検出部が、環状片６１０ｂに形成された切欠部６１７により構成されているため、回転板６１０を輸送する際や保管する際において切欠部６１７が摩耗等により変形しにくく、検出精度の低下が効果的に防止されるので好ましいが、回動基準位置検出部の形状や形成位置等は特に限定されるものではなく、例えば突片等により構成されていてもよい。
【０１８５】
また、回転板６１０は金属材にて構成されていることから強固で、かつ、耐久性に優れており、リールモータ５１Ｌの回転軸６０４と回転板６１０との位置ずれ等が生じにくいことから好ましいが、本発明にあっては、回転板６１０の材質は特に金属材に限定されるものではない。
【０１８６】
また、上記実施例におけるリールセンサ５６Ｌは、リールモータ５４Ｌの本体部６４０に対して着脱自在に取り付けられている取付板６０５に対して着脱自在に取り付けられているが、リールセンサ５６Ｌが本体部６４０に対して着脱自在に取り付けられていれば、取付板６０５のみが本体部６４０に対して着脱自在に取付けられているか、あるいはリールセンサ５６Ｌのみが取付板６０５に対して着脱自在に取付けられていればよい。
【０１８７】
また、リールモータ５４Ｌの本体部６４０と支持板６００のとの対向面に形成された駆動モータ位置決め手段は、凸部６０６と嵌合孔部６４３とにより構成されていたが、例えば凸部６０６と嵌合孔部６４３とが逆に設けられていたり、枠条６０７等にて構成されていてもよい。
【０１８８】
また、回転板６１０と保持枠６５６の固定板６５９との対向面に設けられた回動式可変表示体位置決め手段は、位置決めピン６１６ａ、６１６ｂ及び挿通長穴６３０ａ、６３０ｂにより構成されていたが、例えば位置決めピン６１６ａ、６１６ｂ及び挿通長穴６３０ａ、６３０ｂがそれぞれ逆に設けられていてもよい。
【０１８９】
また、上記実施例におけるＬＥＤユニット６０１は、支持板６００に形成された開口部６８０に支持板６００の外面側から抜き差し出来るように構成されていたが、リール５１Ｌが設けられた状態において支持板６００に対して着脱自在に取り付けできるようになっていれば、特に開口部６８０が形成されていなくてもよい。
【０１９０】
また、支持板６００の前端部にはリール間隠蔽部５３が予め一体的に形成されていたが、別途形成したリール間隠蔽部材を支持板６００に取付けてもよい。
【０１９１】
また、ＬＥＤユニット６０１は、該ＬＥＤユニット６０１と支持板６００とに設けられた係止手段を介して支持板６００に係脱自在に取付け出来るようになっているため、特に工具等を用いることなく着脱できることから好ましいが、弾性変形自在な係止部材に形成された係止爪による係止作用によって取付け出来るものに限定されるものではなく、例えばラッチ３７５や蝶ネジ等のように、工具等を用いることなく手作業で着脱操作が出来る取付手段により取り付けられていてもよい。
【０１９２】
【発明の効果】
本発明は以下の効果を奏する。
【０１９３】
（ａ）請求項１項の発明によれば、回動基準位置検出部が回動式可変表示体を駆動軸に固定するための回動板自体に設けられていることにより、回動式可変表示体の成型精度や駆動軸に対する取付け精度に影響されることなく、かつ、回動式可変表示体の回動に応じた回動基準位置の検出が行われるため、駆動軸の回動と回動式可変表示体の回動とのずれによる識別情報の停止位置のずれが効果的に防止される。
【０１９４】
（ｂ）請求項２項の発明によれば、回動板と駆動軸との相対回動が確実に防止されるため、識別情報の停止位置のずれ等が効果的に防止される。
【０１９５】
（ｃ）請求項３項の発明によれば、回動基準位置検出手段の交換等を容易に行うことが出来るばかりか、用途に応じて回動基準位置検出手段を駆動モータに取り付けるか否かを選択することが出来るので、回動基準位置検出手段が不要な場合において無駄な製造コストをかけずに済む。
【０１９６】
（ｄ）請求項４項の発明によれば、駆動モータだけの製造が可能となる。
【０１９７】
（ｅ）請求項５項の発明によれば、回動板が軽量となり駆動モータの負荷が低減されるばかりか、放熱効果も高まる。
【０１９８】
（ｆ）請求項６項の発明によれば、穴部から工具を挿入したり、穴部から取付部を目視することが出来るため、回動板が駆動軸に固定されている状態における取付板の駆動モータに対する着脱作業が容易になる。
【０１９９】
（ｇ）請求項７項の発明によれば、固定位置を間違えることなく回動式可変表示体を回動板に固定することが出来る。
【０２００】
（ｈ）請求項８項の発明によれば、回動基準位置の検出を、回動基準位置検出手段による回動基準位置検出部の検出と基本励磁パターンとで行う場合にも対応出来る。
【０２０１】
（ｉ）請求項９項の発明によれば、回動基準位置検出部が駆動軸の回動中心から離れることで、駆動軸の回動に対する回動基準位置検出部の移動距離が長くなり、回動基準位置の検出誤差の許容範囲を大きくとれることになるので、回動基準位置の検出精度を効果的に高めることが出来る。
【０２０２】
（ｊ）請求項１０項の発明によれば、駆動モータを支持板に対して正確な位置に取り付けることが出来る。
【０２０３】
（ｋ）請求項１１項の発明によれば、１つの識別情報に対するステップ数を均等に出来るので、識別情報の停止制御が向上する。
【０２０４】
（ｌ）請求項１２項の発明によれば、回動基準位置検出部が破損したり変形しにくいため、検出誤差等が効果的に防止される。
【図面の簡単な説明】
【図１】本発明の適用された遊技機の一例としてのスロットマシンを示す正面図である。
【図２】図１のスロットマシンの内部構造図である。
【図３】図１のスロットマシンの前面扉の後面図である。
【図４】本実施例のスロットマシンの構成を示すブロック図である。
【図５】同じく本実施例のスロットマシンの構成を示すブロック図である。
【図６】可変表示装置の内部構造を示す組立分解斜視図である。
【図７】リールモータを示す斜視図である。
【図８】（ａ）はリールモータの平面図であり、（ｂ）はリールモータの底面図である。
【図９】リールモータの励磁制御を示すタイミングチャートである。
【図１０】照明ユニットの支持板への取付け構造を示す斜視図である。
【図１１】（ａ）、（ｂ）は照明ユニットを支持板に取り付ける状態を示す側面図である。
【図１２】支持板の側面図である。
【図１３】（ａ）は図１２のＡ−Ａ断面図であり、（ｂ）（ｃ）は（ａ）の要部拡大図である。
【図１４】遊技機の他の一例としてのパチンコ機を示す正面図である。
【図１５】同じく遊技機の他の一例としての遊技球を用いたスロットマシンを示す正面図である。
【図１６】ベルト式可変表示装置を示す断面図である。
【符号の説明】
１　　　　　　　　　　　　　　スロットマシン
２　　　　　　　　　　　　　　筐体
３　　　　　　　　　　　　　　施錠装置
３ａ　　　　　　　　　　　　　鍵穴
４、４ａ　　　　　　　　　　　前面扉
７　　　　　　　　　　　　　　突出部
８　　　　　　　　　　　　　　遊技情報表示部
９　　　　　　　　　　　　　　メダル払出穴
１０　　　　　　　　　　　　　灰皿
１１　　　　　　　　　　　　　メダル受皿
１２ａ、１２ｂ　　　　　　　　放音部
１３　　　　　　　　　　　　　放音部
１４　　　　　　　　　　　　　透視窓
１５　　　　　　　　　　　　　液晶表示部
１６〜２５　　　　　　　　　　演出用表示部
２６　　　　　　　　　　　　　タイトル表示部
２７　　　　　　　　　　　　　リプレイ表示部
２８　　　　　　　　　　　　　スタート表示部
２９　　　　　　　　　　　　　ウェイト表示部
３０　　　　　　　　　　　　　投入指示表示部
３１　　　　　　　　　　　　　クレジット表示部
３２　　　　　　　　　　　　　ゲーム回数表示部
３３　　　　　　　　　　　　　ペイアウト表示部
３４　　　　　　　　　　　　　メダル投入部
３５　　　　　　　　　　　　　メダル詰まり解除ボタン
３６ａ　　　　　　　　　　　　１枚ＢＥＴボタン
３６ｂ　　　　　　　　　　　　ＭＡＸＢＥＴボタン
３７　　　　　　　　　　　　　精算ボタン
３８　　　　　　　　　　　　　スタートレバー
３９　　　　　　　　　　　　　ストップボタンユニット
４０Ｌ、４０Ｃ、４０Ｒ　　　　ストップボタン
４１〜４３　　　　　　　　　　遊技効果ＬＥＤ部
４５　　　　　　　　　　　　　１枚賭け表示部
４６　　　　　　　　　　　　　２枚賭け表示部
４７　　　　　　　　　　　　　３枚賭け表示部
５０　　　　　　　　　　　　　可変表示装置
５１Ｌ、５１Ｃ、５１Ｒ　　　　リール
５２　　　　　　　　　　　　　リール収容箱体
５３　　　　　　　　　　　　　リール間隠蔽部
５４Ｌ、５４Ｃ、５４Ｒ　　　　リールモータ
５５　　　　　　　　　　　　　リールＬＥＤ
５６Ｌ、５６Ｃ、５６Ｒ　　　　リールセンサ
５７　　　　　　　　　　　　　ホッパーユニット
５７ａ　　　　　　　　　　　　ホッパータンク
５８　　　　　　　　　　　　　案内レール
５９　　　　　　　　　　　　　オーバーフロータンク
６０　　　　　　　　　　　　　満タンセンサ
６１　　　　　　　　　　　　　払出メダルセンサ
６２　　　　　　　　　　　　　ホッパーモータ
６３　　　　　　　　　　　　　メダル排出口
６４　　　　　　　　　　　　　電源ユニット
６５　　　　　　　　　　　　　メインスイッチ部
６６　　　　　　　　　　　　　第２リセットボタン
６７　　　　　　　　　　　　　設定ボタン
６８　　　　　　　　　　　　　自動精算選択スイッチ部
６９　　　　　　　　　　　　　打止め選択スイッチ部
７０　　　　　　　　　　　　　設定キー挿入部
７１　　　　　　　　　　　　　メダルセレクタ
７２　　　　　　　　　　　　　不正メダル排出部
７３　　　　　　　　　　　　　返却メダル流路
８０　　　　　　　　　　　　　メインスイッチ
８１　　　　　　　　　　　　　第２リセットスイッチ
８２　　　　　　　　　　　　　設定キースイッチ
８３　　　　　　　　　　　　　設定スイッチ
８４　　　　　　　　　　　　　電源コード
８５　　　　　　　　　　　　　背板
８６、８７　　　　　　　　　　側板
８８　　　　　　　　　　　　　上板
８９　　　　　　　　　　　　　下板
９０ａ、９０ｂ　　　　　　　　放熱用穴部
９１　　　　　　　　　　　　　有孔板
１００　　　　　　　　　　　　１枚ＢＥＴスイッチ
１０１　　　　　　　　　　　　ＭＡＸＢＥＴスイッチ
１０２　　　　　　　　　　　　スタートスイッチ
１０３Ｌ、１０３Ｃ、１０３Ｒ　ストップスイッチ
１０４　　　　　　　　　　　　精算スイッチ
１０５　　　　　　　　　　　　第１リセットスイッチ
１０６　　　　　　　　　　　　投入メダルセンサ
１０７　　　　　　　　　　　　流路切替ソレノイド
１０８　　　　　　　　　　　　クレジット表示器
１０９　　　　　　　　　　　　ゲーム回数表示器
１１０　　　　　　　　　　　　ペイアウト表示器
１１１　　　　　　　　　　　　リプレイＬＥＤ
１１２　　　　　　　　　　　　スタートＬＥＤ
１１３　　　　　　　　　　　　ウェイトＬＥＤ
１１４　　　　　　　　　　　　投入指示ＬＥＤ
１１５　　　　　　　　　　　　１枚賭けＬＥＤ
１１６　　　　　　　　　　　　２枚賭けＬＥＤ
１１７　　　　　　　　　　　　３枚賭けＬＥＤ
１２０　　　　　　　　　　　　ボーナス告知ＬＥＤ
１２１ａ、１２１ｂ　　　　　　ＢＥＴボタンＬＥＤ
１２２Ｌ、１２２Ｃ、１２２Ｒ　操作有効ＬＥＤ
１２４　　　　　　　　　　　　設定値表示器
１３１〜１３３　　　　　　　　遊技効果ＬＥＤ
１３５、１３５’　　　　　　　液晶表示器
１３６ａ、１３６ｂ、１３７　　スピーカ
１３８　　　　　　　　　　　　蛍光灯
１４０〜１４９　　　　　　　　演出用ランプ
２００　　　　　　　　　　　　遊技制御基板
２０１　　　　　　　　　　　　演出制御基板
２０２　　　　　　　　　　　　電源基板
２０３　　　　　　　　　　　　リール中継基板
２０４　　　　　　　　　　　　リールＬＥＤ中継基板
２０５　　　　　　　　　　　　外部出力基板
２１０　　　　　　　　　　　　制御部
２１１　　　　　　　　　　　　ＣＰＵ
２１２　　　　　　　　　　　　ＲＡＭ
２１３　　　　　　　　　　　　ＲＯＭ
２１４　　　　　　　　　　　　Ｉ／Ｏポート
２１５　　　　　　　　　　　　スイッチ回路
２１６　　　　　　　　　　　　モータ回路
２１７　　　　　　　　　　　　初期リセット回路
２１８　　　　　　　　　　　　クロック発生回路
２１９　　　　　　　　　　　　パルス分周回路
２２０　　　　　　　　　　　　バッファ回路
２２１　　　　　　　　　　　　乱数発生回路
２２２　　　　　　　　　　　　サンプリング回路
２２３　　　　　　　　　　　　バックアップ電源
２３０　　　　　　　　　　　　制御部
２３１　　　　　　　　　　　　ＣＰＵ
２３２　　　　　　　　　　　　ＲＡＭ
２３３　　　　　　　　　　　　ＲＯＭ
２３４　　　　　　　　　　　　Ｉ／Ｏポート
２３５　　　　　　　　　　　　スピーカ駆動回路
２３６　　　　　　　　　　　　表示駆動回路
２３７　　　　　　　　　　　　ＬＥＤ駆動回路
２３８　　　　　　　　　　　　バックアップ電源
３０３　　　　　　　　　　　　化粧シート
３０６　　　　　　　　　　　　上部飾り枠
３２０　　　　　　　　　　　　化粧シート
３２３　　　　　　　　　　　　下部飾り枠
３３１　　　　　　　　　　　　化粧シート
３３６　　　　　　　　　　　　演出用中継基板
３３７　　　　　　　　　　　　ランプ基板
３３８　　　　　　　　　　　　遊技用中継基板
３５３　　　　　　　　　　　　中央部飾り枠
３６０　　　　　　　　　　　　ユニット部材
３６５　　　　　　　　　　　　上取付片
３６６　　　　　　　　　　　　下取付片
３６７　　　　　　　　　　　　挿通穴
３６８　　　　　　　　　　　　ラッチ
３６９　　　　　　　　　　　　上固定片
３７１　　　　　　　　　　　　下固定片
３７５　　　　　　　　　　　　ラッチ
５００、５５０　　　　　　　　収納ケース
６００　　　　　　　　　　　　支持板
６００ａ、６００ｂ　　　　　　取付片
６００ｃ　　　　　　　　　　　内面
６００ｄ　　　　　　　　　　　外面
６０１　　　　　　　　　　　　ＬＥＤユニット
６０２　　　　　　　　　　　　孔部
６０３　　　　　　　　　　　　取付けネジ
６０４　　　　　　　　　　　　回転軸
６０５　　　　　　　　　　　　取付板
６０６　　　　　　　　　　　　凸部
６０７　　　　　　　　　　　　枠条
６０８　　　　　　　　　　　　挿通孔
６０９　　　　　　　　　　　　穴部
６１０　　　　　　　　　　　　回転板
６１０ａ　　　　　　　　　　　円板部
６１０ｂ　　　　　　　　　　　環状片
６１１　　　　　　　　　　　　貫通路
６１３　　　　　　　　　　　　モータ取付部
６１４　　　　　　　　　　　　固定ネジ
６１５　　　　　　　　　　　　ネジ孔
６１６ａ、６１６ｂ　　　　　　位置決めピン
６１７　　　　　　　　　　　　切欠部
６３０ａ、６３０ｂ　　　　　　挿通長穴
６４０　　　　　　　　　　　　本体部
６４１　　　　　　　　　　　　台座
６４２　　　　　　　　　　　　ネジ孔
６４３　　　　　　　　　　　　嵌合孔部
６４４　　　　　　　　　　　　切欠部
６４５　　　　　　　　　　　　取付けネジ
６４６　　　　　　　　　　　　挿通孔
６４７ａ、６４７ｂ　　　　　　開口
６４８　　　　　　　　　　　　挿通孔
６５０　　　　　　　　　　　　本体部
６５１、６５２　　　　　　　　脚片
６５１ａ、６５２ａ　　　　　　係止爪
６５３　　　　　　　　　　　　大径穴
６５４　　　　　　　　　　　　小径穴
６５５　　　　　　　　　　　　リールシート
６５６、６５７　　　　　　　　保持枠
６５８　　　　　　　　　　　　環状片
６５９　　　　　　　　　　　　固定板
６６０　　　　　　　　　　　　スポーク片
６６１　　　　　　　　　　　　嵌合穴
６６２　　　　　　　　　　　　挿通孔
６６３　　　　　　　　　　　　保護板
６６４　　　　　　　　　　　　挿通穴
６６５　　　　　　　　　　　　挿通孔
６７０　　　　　　　　　　　　本体部
６７１　　　　　　　　　　　　取付部
６７２ａ〜６７２ｃ　　　　　　区画室
６７３　　　　　　　　　　　　ＬＥＤ基板
６７４ａ〜６７４ｃ　　　　　　長穴
６７５、６６６　　　　　　　　係止片
６７５ａ、６６６ａ　　　　　　係止爪
６７６ａ、６７７ａ　　　　　　前片
６７６ｂ、６７７ｂ　　　　　　後片
６７６、６７７　　　　　　　　係合片
６７８　　　　　　　　　　　　係合凹溝
６７９　　　　　　　　　　　　突出部材
６８０　　　　　　　　　　　　開口部
６８１、６８２　　　　　　　　係合片
６８３　　　　　　　　　　　　係止片
６８３ａ　　　　　　　　　　　係止爪
６８５　　　　　　　　　　　　穴部
６８６　　　　　　　　　　　　コネクタ
６８７　　　　　　　　　　　　リール用中継基板
６８８　　　　　　　　　　　　コネクタ
６８９　　　　　　　　　　　　ＬＥＤ用中継基板
７００　　　　　　　　　　　　パチンコ機
７０１　　　　　　　　　　　　スピーカ
７０２　　　　　　　　　　　　遊技効果ランプ
７０３　　　　　　　　　　　　可変表示装置
７０３ａ　　　　　　　　　　　可変表示部
７０４　　　　　　　　　　　　通常入賞口
７０５　　　　　　　　　　　　始動入賞口
７０６　　　　　　　　　　　　特別入賞口
７０７　　　　　　　　　　　　遊技領域
７０８　　　　　　　　　　　　打球操作ハンドル
８００　　　　　　　　　　　　スロットマシン
８０１　　　　　　　　　　　　カードユニット
８０２　　　　　　　　　　　　前面扉
８０３　　　　　　　　　　　　貸出ボタン
８０４　　　　　　　　　　　　上皿
８０５　　　　　　　　　　　　ＢＥＴボタン
８０６　　　　　　　　　　　　透視窓
８０７　　　　　　　　　　　　可変表示装置
９００　　　　　　　　　　　　ベルト式可変表示装置
９０１　　　　　　　　　　　　ベルト
９０２　　　　　　　　　　　　支持板
９０３　　　　　　　　　　　　駆動回転体
９０４　　　　　　　　　　　　従動回転体
９０５　　　　　　　　　　　　駆動モータ
９０６　　　　　　　　　　　　照明ユニット
９０７　　　　　　　　　　　　ベルトセンサ
Ｍ　　　　　　　　　　　　　　基準マーク
Ｌ１、Ｌ２、Ｌ２’、Ｌ３、Ｌ３’　入賞ライン
【図１】
2004016433.tif 000003
【図２】
2004016433.tif 000004
【図３】
2004016433.tif 000005
【図４】
2004016433.tif 000006
【図５】
2004016433.tif 000007
【図６】
2004016433.tif 000008
【図７】
2004016433.tif 000009
【図８】
2004016433.tif 000010
【図９】
2004016433.tif 000011
【図１０】
2004016433.tif 000012
【図１１】
2004016433.tif 000013
【図１２】
2004016433.tif 000014
【図１３】
2004016433.tif 000015
【図１４】
2004016433.tif 000016
【図１５】
2004016433.tif 000017
【図１６】
2004016433.tif 000018